(57)【要約】  薬物送達デバイス（１）用のシステムであって、ハウジング（１０、３５０）と、ハウジングに取付け可能である、またはハウジングに解放可能に取り付けられるカートリッジユニット（３００）とを含み、カートリッジユニットは、カートリッジユニットをハウジングに取り付けるときに、カートリッジユニットとハウジングの互いに対する相対的な動きを案内するための案内インターフェース（３２７、３５１）を、ハウジングとともに確立するために提供されるカートリッジユニット案内機能を含み、カートリッジユニットは、案内インターフェースに加えて、さらなるインターフェースをハウジングとともに形成するために提供されるカートリッジユニットインターフェース機能であって、さらなるインターフェースは、カートリッジユニットがハウジングに取り付けられるときに確立される、カートリッジユニットインターフェース機能を含み、案内インターフェースは、カートリッジユニットがハウジングに取り付けられるときに、カートリッジユニットとハウジングとの間の少なくとも２つの異なる動きのステージ、すなわち第１のステージの軸方向における第１のステージの軸方向距離分の少なくとも軸方向の動きを有する第１のステージ（３５１ａ）、および第２のステージの回転方向における第２のステージの角度分の少なくとも回転運動を有する第２のステージ（３５１ｂ）を画成するバヨネット型のインターフェースであり、さらなるインターフェースは、傾斜インターフェースであるか、傾斜インターフェースを含むシステムが提供される。【選択図】図６
2021531101.tif 000002
【特許請求の範囲】
【請求項１】
薬物送達デバイス（１）用のシステムであって：
ハウジング（１０、３５０）と、
該ハウジングに取付け可能である、または該ハウジングに解放可能に取り付けられるカートリッジユニット（３００）と
を含み、
ここで、該カートリッジユニットは、
該カートリッジユニットをハウジングに取り付けるときに、カートリッジユニットとハウジングの互いに対する相対的な動きを案内するための案内インターフェース（３２７、３５１）を、ハウジングとともに確立するために提供されるカートリッジユニット案内機能（３２７）と、
案内インターフェースに加えて、さらなるインターフェースをハウジングとともに形成するために提供されるカートリッジユニットインターフェース機能（３２９、３３４）であって、さらなるインターフェースは、カートリッジユニットがハウジングに取り付けられるときに確立される、カートリッジユニットインターフェース機能と
を含み、
案内インターフェースは、カートリッジユニットがハウジングに取り付けられるときに、カートリッジユニットとハウジングとの間の少なくとも２つの異なる動きのステージ、すなわち第１のステージの軸方向における第１のステージの軸方向距離分の少なくとも軸方向の動きを有する第１のステージ（３５１ａ）、および第２のステージの回転方向における第２のステージの角度分の少なくとも回転運動を有する第２のステージ（３５１ｂ）を画成するバヨネット型のインターフェースであり、
さらなるインターフェースは、傾斜インターフェースであるか、傾斜インターフェースを含む、前記システム。
【請求項２】
カートリッジユニットがハウジングに取り付けられるときに、第２のステージにおいて、第１のステージの軸方向距離とは反対の第２のステージの軸方向に、第２のステージの軸方向距離（ｄ）分、カートリッジユニット（３００）がハウジング（１０、３５０）に対して動かされ、第２のステージの軸方向距離分の動きが、傾斜インターフェースによって画成または制御されるように構成される、請求項１に記載のシステム。
【請求項３】
ハウジング（１０、３５０）は、さらなるインターフェースを確立するためにカートリッジユニットインターフェース機能と相互作用するように構成されたハウジングインターフェース機能を含み、該ハウジングインターフェース機能とカートリッジユニットインターフェース機能のうちの少なくとも一方が傾斜表面（３２９、３５３）を含む、請求項１または２に記載のシステム。
【請求項４】
傾斜表面（３２９、３５３）の傾きは、第２のステージの軸方向距離（ｄ）および第２のステージの角度によって画成される傾きに等しい、請求項２または３に記載のシステム。
【請求項５】
傾斜表面の両端間の高さの差が、第２のステージの軸方向距離（ｄ）より大きいまたはそれに等しい、請求項２〜４のいずれか１項に記載のシステム。
【請求項６】
カートリッジユニットは少なくとも１つのカートリッジユニットコーディング構造（３３０）を含み、該カートリッジユニットコーディング構造は、動きの第２のステージの前に、ハウジングのハウジングコーディング構造（３５３）の少なくとも１つのハウジングコーディング機能とともにコーディングインターフェースを確立するために提供される、請求項１〜５のいずれか１項に記載のシステム。
【請求項７】
カートリッジユニットコーディング構造は、１つまたはそれ以上のカートリッジユニットコーディング機能（３２７ａ、３２７ｂ）を含み、それぞれの該カートリッジユニットコーディング機能は、カートリッジユニットインターフェース機能（３２９、３３４）から軸方向に離れている、請求項６に記載のシステム。
【請求項８】
カートリッジユニットコーディング構造は、１つまたはそれ以上のカートリッジユニットコーディング機能（３３０）を含み、それぞれの該カートリッジユニットコーディング機能は、第１のステージの軸方向距離より大きいまたはそれに等しい軸方向範囲を有する表面（３３２）によって角度方向に画定された、軸方向に延びている機能である、請求項６に記載のシステム。
【請求項９】
それぞれのハウジングコーディング機能またはそれぞれのカートリッジユニットコーディング機能は、傾斜表面と同じ傾斜構造の一部であるが傾斜表面から角度方向にオフセットした機能によって形成される、請求項６または８に記載のシステム。
【請求項１０】
カートリッジユニット（３００）は、カートリッジホルダ（３０２）とカートリッジ（３０１）とを含むカートリッジアセンブリであり、カートリッジは薬物（３０７）を含み、カートリッジはカートリッジホルダに恒久的に固定される、請求項１〜９のいずれか１項に記載のシステム。
【請求項１１】
請求項１〜１０の少なくとも１項に記載のシステムを含む装置であって、システムのカートリッジユニット（３００）が第１のカートリッジユニットであり、装置は第２のカートリッジユニット（３００）を含み、該第２のカートリッジユニットは、第２のカートリッジユニット案内機能（３２７）と第２のカートリッジユニットインターフェース機能（３２９、３３４）とを有し、
ここで、第１のカートリッジユニットおよび第２のカートリッジユニットは、異なる薬物もしくは薬物製剤を含み、かつ／または異なる寸法のカートリッジを含み、
第１と第２のカートリッジユニットのカートリッジユニットコーディング構造同士は、第１のカートリッジユニットをハウジング（１０、３５０）に取り付けることができるように第１のカートリッジユニットのカートリッジユニットコーディング構造とハウジングコーディング構造が互いに適合し、第２のカートリッジユニットのカートリッジユニットコーディング構造とハウジングコーディング構造は互いに適合せず、それにより第２のカートリッジユニットをハウジングに取り付けることができないように、異なっている、前記装置。
【請求項１２】
ハウジング（１０、３５０）は第１のハウジングであり、装置は第２のハウジングを含み、ここで、カートリッジユニットコーディング構造が異なることから、第２のカートリッジユニットは第２のハウジングに取り付けることができ、第１のカートリッジユニットは取り付けることができず、第２のカートリッジユニットと第２のハウジングは、案内インターフェースに加えて、協働してさらなるインターフェースを形成するカートリッジユニットインターフェース機能（３２９、３３４）とハウジングインターフェース機能（３５３）とを有し、さらなるインターフェースは傾斜インターフェースを含み、第１のハウジングと第１のカートリッジユニットとの間の傾斜インターフェースを制御する第１の傾斜表面と、第２のハウジングと第２のカートリッジユニットとの間の傾斜インターフェースを制御する第２の傾斜表面とは、同じ傾きを有する、請求項１１に記載の装置。
【請求項１３】
第１の傾斜表面は、複数の傾斜表面を含む第１の傾斜構造の一部であり、第２の傾斜表面は、複数の傾斜表面を含む第２の傾斜構造の一部であり、第１の傾斜構造と第２の傾斜構造は同様に構成されている、請求項１２に記載の装置。
【請求項１４】
請求項１〜１０のいずれか１項に記載のシステムを含む薬物送達デバイス、または請求項１２または１３に記載の装置を含む薬物送達デバイスのセットであって、それぞれの薬物送達デバイスが薬剤を含む、前記薬物送達デバイスのセット。
【発明の詳細な説明】
【技術分野】
【０００１】
本開示は、薬物送達デバイス用のシステム、好ましくはペン型注射器などの注射デバイス用および／またはペン型デバイス用のシステムに関する。
【背景技術】
【０００２】
標準的な薬物送達デバイスでは、薬物送達デバイスのハウジングに収容された単一の駆動機構が複数のカートリッジまたはアンプルとともに使用されて、カートリッジまたはアンプルに含まれる薬物がデバイスから投薬されるのだが、通常、このデバイスのカートリッジホルダは、ハウジングに対して解放可能に連結または取付けされており、使用済みのカートリッジを交換するためにハウジングから取外しまたは分離されることが可能である。これを行うために、カートリッジホルダはハウジングから連結解除され、使用済みカートリッジがホルダから取り外され、新カートリッジと交換され、この新カートリッジがカートリッジホルダに挿入され、カートリッジホルダが再びハウジングに取り付けられて、デバイスは、新カートリッジから薬物を再び投薬するために使用される準備が整う。
【０００３】
しかし、この種類のデバイスは、いくつかのリスクを有する。たとえば、薬物送達デバイスの機構の設計が特に対応してない薬物、すなわち誤った薬物を含むカートリッジが、カートリッジホルダに挿入され、ユーザは、誤った薬物のカートリッジをカートリッジホルダに入れたことに気付かないことがある。この過ちは、ユーザにとって致命的になることがあり、異なる薬物を有するカートリッジは通常かなりよく似ていることから、この過ちが生じる可能性も高い。さらに、カートリッジは、別々のアイテムとして販売される場合、特に標準的なカートリッジは通常ガラスカートリッジであることから、いつも容易に破損する。
【発明の概要】
【発明が解決しようとする課題】
【０００４】
本開示の目的は、薬物送達デバイスに関する改善を実現することである。この目的および潜在的に他の目的は、本開示によって、具体的には独立請求項の主題によって解決される。有利な実施形態および改善形態は、従属請求項の対象となる。
【課題を解決するための手段】
【０００５】
本開示の一態様は、薬物送達デバイス用のシステムに関する。別の態様は、このシステムを含む薬物送達デバイスに関する。薬物送達デバイスは、好ましくは薬剤を含む。さらに別の態様は、このシステムまたはデバイスを含む装置に関する。
【０００６】
一実施形態では、システムはハウジングを含む。ハウジングは、たとえば用量を設定しかつ／または設定された用量を送達するための、ハウジングに対して可動であるピストンロッドおよび／または用量設定部材などの用量設定機構および／または駆動機構のうちの１つまたはそれ以上の構成要素を収容してもよい。ピストンロッドは、好都合には、用量設定部材によって前に設定された用量のサイズに対応する距離だけ、用量送達中にハウジングに対して遠位方向に動かされる。
【０００７】
システムは、さらにカートリッジユニットを含む。カートリッジユニットは、ハウジングに取付け可能であり、または好ましくはハウジングに解放可能に取り付けられる。カートリッジユニットが解放可能に取り付けられる場合、カートリッジユニットはハウジングに取り付けられ、取付けが完了した後に分離されることが可能である。カートリッジユニットは、薬物送達デバイスから送達されることになる薬物または薬剤を含んでもよくまたは保持してもよい。カートリッジユニットがハウジングに取り付けられたとき、システムは薬物送達デバイスを形成することができる。カートリッジユニットはさらに、カートリッジユニット案内機能を含む。カートリッジユニット案内機能は、たとえばカートリッジユニットをハウジングに取り付けるとき、またはカートリッジユニットをハウジングから分離するときに、カートリッジユニットとハウジングの互いに対する相対的な動きを案内するための案内インターフェースを、ハウジング内にまたはハウジング上に設けられたハウジング案内機能と協働することなどによって、ハウジングとともに確立するために提供されることが好都合である。カートリッジユニットは、１つまたは複数のカートリッジユニット案内機能を含んでもよい。ハウジングは、１つまたはそれ以上のハウジング案内機能を含んでもよい。それぞれのハウジング案内機能は、１つのカートリッジユニット案内機能と協働するように配置される。カートリッジユニットはさらに、カートリッジユニットインターフェース機能を含む。カートリッジユニットインターフェース機能は、案内インターフェースに加えて、さらなるインターフェースをハウジングとともに形成するために提供される。カートリッジユニットインターフェース機能は、カートリッジユニット案内機能とは異なってもよい。カートリッジユニット案内機能とカートリッジユニットインターフェース機能は、互いに軸方向および／または角度方向にオフセットしていてもよい。カートリッジユニットは、１つまたは２つ以上のカートリッジユニットインターフェース機能を含んでもよい。ハウジングは、１つまたはそれ以上のハウジングインターフェース機能を含んでもよい。ハウジングインターフェース機能は、カートリッジユニットインターフェース機能と相互作用して、さらなるインターフェースを形成してもよい。さらなるインターフェースは、ハウジングへのカートリッジユニットの取付け中に確立されてもよい。さらなるインターフェースは、好都合には、カートリッジユニットがハウジングに取り付けられるときに確立される。さらなるインターフェースは、案内インターフェースによって相対的な動きが案内されている間に確立される。したがって、カートリッジユニットがハウジングに取り付けられるとき、案内インターフェースはすでに確立されており、さらなるインターフェースが確立される前に相対的な動きを案内する。
【０００８】
一実施形態では、案内インターフェースは、カートリッジユニットがハウジングに取り付けられるときに、カートリッジユニットとハウジングとの少なくとも２つの異なる動きのステージ、すなわち第１のステージおよび第２のステージを画成する。カートリッジユニットがハウジングに取り付けられるとき、第１のステージは第２のステージの前に行われる。カートリッジユニットが分離されるとき、第２のステージは第１のステージの前に行われる。第１のステージは、ハウジングに対するカートリッジユニットの軸方向のみの動き、または軸方向運動かつ回転運動、すなわちらせん状の動きなど、少なくとも軸方向の動きを有するステージとすることができる。カートリッジユニットは、第１のステージ中に、第１のステージの軸方向に第１のステージの軸方向距離だけ動かされる。第１のステージの軸方向は、ハウジングに向かう方向とすることができる。第２のステージでは、ハウジングに対するカートリッジユニットの相対的な動きは、第２のステージの回転方向に第２のステージの角度だけ少なくとも回転運動を含む。第２のステージは、回転運動だけを含んでもよく、または回転運動と軸方向、たとえばらせん状の動きを含んでもよい。第２のステージのらせん状の動きがそれに沿って生じるらせんと、第１のステージのらせん状の動きがそれに沿って生じるらせんは、反対向きであってもよい。第１のステージでは、ハウジングに対するカートリッジユニットの動きは、主に軸方向とすることができる。つまり、この動きの間に進む軸方向距離は、カートリッジユニット案内機能が回転する角度方向距離より大きくてもよい。第２のステージでは、このステージが回転運動と軸方向運動を含む場合、この動きは主に回転とすることができる。結果的に、カートリッジユニット案内機能が移動する角度方向距離は、軸方向距離より大きくてもよい。第１のステージの軸方向距離は、第２のステージの軸方向距離より大きくてもよい。第２のステージの角度方向距離は、第１のステージの角度方向距離より大きくてもよい。カートリッジユニットがそれに沿って動かされる軸、またはカートリッジユニットがそれに沿って回転する軸は、ハウジングおよび／またはカートリッジユニットの主長手方向軸とすることができる。案内インターフェースは、バヨネットまたはバヨネット型のインターフェースであってもよい。
【０００９】
一実施形態では、カートリッジユニットがハウジングに取り付けられるときに、カートリッジが第２のステージにおいて、第２のステージの軸方向に第２のステージの軸方向距離だけ、ハウジングに対して動かされるように、システムが構成される。第２のステージの軸方向距離は、第１のステージの軸方向距離と反対であってもよい。したがって、カートリッジユニットは、第２のステージ中、ハウジングから離れるように、たとえばらせん状に動かされる。第２のステージの軸方向距離は、第１のステージの軸方向距離より小さくてもよい。第２のステージ中の軸方向の動きは、複数の利点を有することが可能である。まず、第２のステージ中の反対の軸方向への動きは、ハウジングへのカートリッジユニットの取付け手順が終了する直前に生じる。したがって、この動きはユーザにとって気付きやすいことから、ユーザは、カートリッジユニットを適切に取り付けたという確信を得ることができる。さらに、反対の軸方向への軸方向の動きは、薬物送達のための規定の初期位置を提供するのを補助し、それによりデバイスから投薬される薬物の既存の第１の用量を正確に投薬することができ、プライミング動作を回避することができる。さらに、反対の軸方向への動きを使用して、薬物送達デバイスの用量設定機構および／または駆動機構の２つ以上の要素間の動作連結を再確立することができる。このような連結は、既存の第１の用量を正確に送達するのに必要でありうる。
【００１０】
一実施形態では、さらなるインターフェースは、傾斜インターフェースであるか、傾斜インターフェースを含む。傾斜インターフェースは、以下で詳述するように複数の利点を有する。
【００１１】
一実施形態では、さらなるインターフェースは、第１のステージが完了した後に、たとえば第２のステージ中または第２のステージの初めに確立される。
【００１２】
一実施形態では、ハウジングインターフェース機能および／またはカートリッジユニットインターフェース機能は、傾斜表面を含む。つまり、それぞれのインターフェース機能は、傾斜機能であってもよい。傾斜表面は、角度方向に、好ましくは主に角度方向に延びていてもよい。傾斜表面は、たとえばハウジングに設けられたとき、遠位方向に面してもよい。傾斜表面は、たとえばカートリッジユニットに設けられたとき、近位方向に面してもよい。遠位向き傾斜表面は、第２のステージの回転方向に隆起していてもよい。近位向き傾斜表面は、第２のステージの回転方向とは反対の方向に隆起していてもよい。
【００１３】
一実施形態では、第２のステージの軸方向距離分の動きは、傾斜インターフェースによって画成または制御される。つまり、傾斜インターフェースは、第２のステージ中に確立される。インターフェース機能、すなわちハウジングインターフェース機能かカートリッジユニットインターフェース機能のいずれかが、第２のステージの回転角度と組み合わされて接触する傾斜表面の傾きは、カートリッジユニットがハウジングから離れるように第２のステージの軸方向距離だけ動かされるように調節される。
【００１４】
一実施形態では、傾斜表面は、複数の傾斜表面を含む傾斜構造の一部であり、この複数の傾斜表面は、好ましくは、軸方向に位置合わせされ、かつ／またはすべてが同じ回転方向に隆起している。傾斜表面は、回転対称であるパターンに配置される。傾斜表面は、それぞれハウジングまたはカートリッジユニットの主長手方向軸の周りに周方向に配設される。
【００１５】
一実施形態では、傾斜表面の傾きまたはピッチは、第２のステージ中のらせん状の動きの傾きまたはピッチより小さくまたはそれに等しく、この傾きまたはピッチは、らせん状の動きに対応するらせんのらせん角度に対応してもよく、かつ／または第２のステージの軸方向距離および第２のステージの角度によって画成される傾きまたはピッチに対応してもよい。傾斜表面の傾きが、第２のステージ中の傾きに等しい場合、傾斜表面を使用して、第２のステージの軸方向への軸方向の動きを引き起こすことができる。傾斜表面の傾きが、第２のステージ中の傾きより小さい場合、傾斜表面は、第２のステージの軸方向への動きを妨げない。後者の場合には、第２のステージの軸方向への動きは、たとえば案内インターフェースによって引き起こすことができる。しかし、傾斜表面を含む傾斜構造は、以下でさらに検討するコーディング目的のためになお使用することができる。
【００１６】
一実施形態では、傾斜表面の角度方向範囲は、傾斜表面の径方向位置における第２のステージの角度によって画成される角度方向範囲など、第２のステージの角度によって画成される角度方向範囲より大きい、またはそれに等しい。こうして、傾斜表面は、第２のステージ中に軸方向の動きを駆動するように調節される。
【００１７】
一実施形態では、傾斜表面の両端間、特に傾斜表面を角度方向に画定する角度方向の両端間の高さの差は、第２のステージの軸方向距離より大きくまたはそれに等しい。
【００１８】
一実施形態では、カートリッジユニットがハウジングに取り付けられるとき、傾斜インターフェースは、動きの第１のステージが完了した後にしか確立されない。
【００１９】
一実施形態では、それぞれの傾斜表面は、角度方向または回転方向において一定の傾きを有する。
【００２０】
一実施形態では、カートリッジユニットは、少なくとも１つのカートリッジユニットコーディング構造を含む。カートリッジユニットコーディング構造は、１つまたはそれ以上のカートリッジユニットコーディング機能によって形成される。
【００２１】
一実施形態では、ハウジングは、少なくとも１つのハウジングコーディング構造を含む。ハウジングコーディング構造は、１つまたはそれ以上のハウジングコーディング機能によって形成される。
【００２２】
カートリッジユニットコーディング構造は、ハウジングのハウジングコーディング構造とともにコーディングインターフェースを確立するために提供される。コーディングインターフェースは、動きの第２のステージの前、たとえば第１のステージ中、またはさらには第１のステージの前に確立されることが可能である。コーディングインターフェースにより、ハウジングおよび／またはハウジングに保持された駆動機構が、薬物、薬物製剤、カートリッジの充填容積および／もしくは寸法、またはカートリッジユニットに入れられた薬物に適合することを保証することができる。カートリッジユニットコーディング構造とハウジングコーディング構造が適合しない場合には、ハウジングに対するカートリッジユニットの取付けが防止される。この目的のために、コーディング機能は機械的に協働し、ハウジングに対するカートリッジユニットのさらなる動きを阻止することができる。コーディングは、ハウジングとカートリッジユニットの適合する対だけを連結できることを保証する。結果的に、誤った薬物もしくは薬物製剤、または誤った寸法のカートリッジが、特定の機構に結合されるのを回避することができる。それぞれのカートリッジユニットコーディング機能は、カートリッジユニットインターフェース機能から軸方向および／または角度方向に、たとえば遠位方向または近位方向に離れている。したがって、コーディングインターフェースとさらなるインターフェースは、別々のインターフェースとすることができる。代替的にまたは追加的に、コーディングインターフェースと案内インターフェースは、別々のインターフェースとすることができる。したがって、標準的な案内インターフェースおよび／またはさらなるインターフェースを使用できる一方で、薬物、薬物製剤、および／またはカートリッジユニットに保持されたカートリッジの寸法などに関して異なるカートリッジユニット間の差別化は、専用に設計されたコーディング機能によって実現されることが可能である。たとえば、コーディング機能は軸方向に位置合わせされ、コーディング機能の角度方向幅および／または角度方向ピッチおよび／または個数を変えて、異なる駆動機構を保持する異なるハウジングに対して異なるカートリッジユニットをコーディングすることができる。コーディングインターフェースは、特に傾斜表面とは異なっている。該当する場合には、たとえば案内機能の角度方向幅および／または分配を変えることによって、案内機能をコーディング目的に使用することができる。
【００２３】
一実施形態では、コーディング機能は、カートリッジユニット案内機能および／または傾斜機能に加えて設けられる。
【００２４】
一実施形態では、それぞれのハウジングコーディング機能は、１つのハウジングインターフェース機能からまたはすべてのハウジングインターフェース機能から軸方向に離れていてもよい。特に、コーディング機能は、傾斜インターフェースに含まれる機能から軸方向に離れていてもよい。
【００２５】
一実施形態では、カートリッジユニットコーディング機能は、軸方向に延びている機能である。軸方向に延びている機能は、第１のステージの軸方向距離より大きいまたはそれに等しい長さまたは軸方向範囲を有する表面、すなわち角度方向表面により、角度方向、好ましくは第２のステージの回転方向とは反対の方向に画定される。こうして、ハウジングに対するカートリッジユニットの、第１のステージの軸方向距離分の軸方向移動を可能にすることができ、表面は、カートリッジユニットコーディング機能の表面に面するハウジングコーディング機能の表面に沿って移動できることが保証される。ハウジングコーディング機能の表面は、角度方向向きまたは角度方向の表面であってもよく、この表面は、ハウジングコーディング機能を角度方向において画定する。これは、ハウジングとカートリッジユニットのコーディング構造が適合する場合に該当し、その結果、カートリッジユニットをハウジングに取り付けることができる。第２のステージ中、角度方向向き表面同士は、第２のステージの角度によって画成された角度方向距離だけ離される。カートリッジユニットがハウジング連結されたとき、ハウジングコーディング機能の角度方向向き表面とカートリッジコーディング機能の角度方向向き表面は、なお向かい合っていてもよい。ハウジングとカートリッジユニットのコーディング構造が適合しない場合、カートリッジユニットコーディング機能、たとえばその近位向き表面が、ハウジングコーディング機能、たとえばその遠位向き表面に当接してもよい。この当接により、特に第１のステージ中に、ハウジングに向かうカートリッジユニットのさらなる軸方向の動きを阻止することができる。ハウジングコーディング機能の遠位向き表面は、ハウジングコーディング機能の角度方向表面の近くに配置される。したがって、動きの第１のステージ中またはその前に、適合しないコーディング構造同士は、カートリッジユニットコーディング機能とハウジングコーディング機能の当接、特にそれらの軸方向に向く表面同士の当接により、さらなる軸方向の動きを防止することができる。
【００２６】
一実施形態では、それぞれのハウジングコーディング機能は、軸方向に延びている機能である。それぞれのハウジングコーディング機能は、角度方向、好ましくは第２のステージの回転方向において、角度方向表面によって画定され、この表面は、第１のステージの軸方向距離より小さいまたはそれに等しい、特に傾斜表面に沿った軸方向範囲を有してもよい。こうして、傾斜表面にカートリッジユニットインターフェース機能が到達して、第１のステージ中の軸方向の動きが完了した後に傾斜インターフェースを確立できることが保証される。
【００２７】
一実施形態では、傾斜表面には、傾斜表面に軸方向に沿って延びている角度方向表面が角度方向に、たとえば第２のステージの回転方向とは反対の方向に隣接している。こうして、カートリッジユニットが第１のステージの軸方向距離だけ移動すると、傾斜インターフェースが確立され、それにより動きの第２のステージ中にカートリッジユニットがハウジングに対して第２のステージの軸方向距離だけ遠位に変位されることを達成することができる。
【００２８】
一実施形態では、ハウジングコーディング機能と傾斜表面、および／またはカートリッジユニットコーディング機能が、共通の傾斜構造に一体化される。具体的には、傾斜構造の傾斜表面を、たとえば第２のステージの回転方向または反対の回転方向もしくは角度方向に画定する表面領域は、第１のステージ中に適合しないカートリッジユニットのカートリッジユニットコーディング機能が当接するコーディング表面として設けられる。カートリッジユニットが、適合するコーディング機能を有する適合するカートリッジユニットの場合には、カートリッジユニットコーディング機能は傾斜表面を通過し、カートリッジユニットのカートリッジユニットインターフェース機能または傾斜表面が第２のステージ中に傾斜表面と協働することができる。
【００２９】
一実施形態では、それぞれのハウジングコーディング機能および／またはそれぞれのカートリッジユニットコーディング機能は、傾斜表面と同じ傾斜構造の一部であるが傾斜表面から角度方向に、たとえば第２のステージの回転方向とは反対の方向または第２のステージの回転方向にオフセットした機能によって形成される。それぞれのコーディング機能は、好ましくは軸方向に配向された突出部とすることができる。
【００３０】
一実施形態では、カートリッジユニットは、カートリッジホルダおよび／またはカートリッジを含む。カートリッジは、カートリッジホルダ内に受けられるまたは配置される。カートリッジは、薬物もしくは薬物製剤または薬剤を含んでもよい。カートリッジの近位端は、可動の栓またはピストンによって閉じられる。針がカートリッジの遠位端のセプタムを穿孔することなどによって、カートリッジの内部と外部との間で流体連通が確立され、カートリッジの出口に向かって栓がカートリッジに対して遠位方向に変位されると、カートリッジの内容物をカートリッジから投薬することができる。カートリッジユニット案内機能は、カートリッジホルダの外面、たとえばカートリッジホルダの側壁に設けられる。カートリッジユニット案内機能は、カートリッジホルダの近位セクションに設けられる。カートリッジホルダとハウジングが連結されたとき、近位セクションはハウジング内に受けられる。
【００３１】
一実施形態では、カートリッジユニットは、カートリッジアセンブリである。アセンブリは、カートリッジとカートリッジホルダとを含んでもよい。カートリッジを、カートリッジホルダ内に恒久的にかつ／または解放不可能に固定してもよい。したがって、カートリッジユニットは使い捨てアイテムを形成してもよい。代替的に、カートリッジを、カートリッジホルダ内に解放可能に固定してもよい。カートリッジホルダは、案内機能、インターフェース機能、および／またはコーディング機能が設けられたカートリッジユニットの部分とすることができる。したがって、コーディング、案内、および／またはインターフェースのために、標準的なカートリッジ設計を変更する必要はない。カートリッジホルダは、カートリッジの保護を強化することができる。さらに、たとえば１．５ｍＬまたは３．０ｍＬの容積の標準的なカートリッジを、たとえば異なる薬物または薬物製剤のために使用することができる。カートリッジアセンブリは、製造業者によってアセンブリされ、分配されることが可能である。異なるハウジング、駆動機構、インターフェース、および／またはコーディングに合わせた調節は、異なるカートリッジホルダを使用することによって行われる。
【００３２】
一実施形態では、カートリッジユニットインターフェース機能および／またはカートリッジユニットコーディング機能は、カートリッジユニット案内機能から軸方向にオフセットしていてもよい。カートリッジユニットインターフェース機能および／またはカートリッジユニットコーディング機能は、カートリッジユニット案内機能から近位方向または遠位方向にオフセットしていてもよい。カートリッジユニットインターフェース機能および／またはカートリッジユニットコーディング機能を、カートリッジホルダの近位リムまたは端壁に一体化してもよい。この場合、近位方向のオフセットが存在する。
【００３３】
一実施形態では、カートリッジホルダは、その外側に突出部分を含む。突出部分は、カートリッジホルダの周りに周方向に、たとえばフランジ状に延びていてもよい。カートリッジユニットインターフェース機能および／またはカートリッジユニットコーディング機能は、突出部分に、たとえばその近位表面に設けられる。カートリッジユニット案内機能は、突出部分よりも近位に配置される。
【００３４】
一実施形態では、案内インターフェースは、標準的なインターフェースである。したがって、異なるカートリッジユニットにおいて、案内機能を同様に形成することができる。案内機能および／またはコーディング機能に違いがあってもよい。したがって、薬物送達デバイスのセットのうちのすべてのデバイスにおいて、一般的な連結または案内の機構が同様に機能できるが、それぞれのデバイスのハウジングは、適合するコーディング構造またはコーディング機能を有するカートリッジユニットだけに連結可能である。セット内または装置内で、ハウジングとカートリッジユニットの対の適合するコーディング構造は、一意であってもよい。
【００３５】
一実施形態では、装置は、上に開示したシステムを含む。システムのカートリッジユニットは、第１のカートリッジユニットであってもよく、装置は、第２のカートリッジユニットを含んでもよい。第２のカートリッジユニットは、第１のカートリッジユニットと同様に構成される。特に、第２のカートリッジユニットは、好ましくは同じ構成で同じ相対的な配置のカートリッジユニット案内機能および／またはカートリッジユニットインターフェース機能を有してもよい。好都合には、第１および第２のカートリッジユニットのコーディング構造は異なる。第２のカートリッジユニットと第１のカートリッジユニットが、異なる薬物もしくは薬物製剤を含みかつ／または異なる寸法のカートリッジを含む場合には、このことは特に好都合である。異なる寸法のカートリッジは、異なる長さ、および／または内径もしくは外径などの異なる直径のカートリッジを含んでもよい。
【００３６】
この文脈において「異なる薬物」とは、異なる活性医薬成分に基づく薬物をカートリッジユニットが含むことを意味してもよい。「異なる薬物製剤」とは、製剤は同じ活性医薬成分に基づいているかもしれないが、たとえば異なる濃度の活性医薬成分を有する液体をカートリッジユニットが含むことを意味してもよい。
【００３７】
第１のカートリッジユニット案内機能と第２のカートリッジユニット案内機能は、同様に配置および構成されてもよく、かつ／または第１と第２のカートリッジユニットのカートリッジユニットコーディング構造は異なってもよい。第１のカートリッジユニットのカートリッジユニットコーディング構造とハウジングのハウジングコーディング構造は、互いに適合するか、対応している。したがって、第１のカートリッジユニットをハウジングに取り付けることができる。第２のカートリッジユニットのカートリッジユニットコーディング構造とハウジングコーディング構造は、好都合には互いに適合せず、それにより第２のカートリッジユニットをハウジングに取り付けすることはできない。したがって、第２のカートリッジユニットとハウジングの案内機能同士は、潜在的に互いに対応しているが、適合しないコーディング構造によって、第２のカートリッジユニットが（第１の）ハウジングに取り付けられることが防止される。第２のカートリッジユニットは、第２のハウジングに適合するコーディング構造を有してもよく、第１のカートリッジユニットのコーディング構造によって、第２のハウジングへの第１のカートリッジユニットの取付けが防止される。しかし、第１および第２のカートリッジユニットは、それぞれ第１のハウジングまたは第２のハウジングに取り付けられるときに、同じ順序の動きを、好ましくは同じ角度方向距離分および／または軸方向距離分、実行してもよい。したがって、カートリッジユニットは異なるが、取付けの動きの順序は、案内機能および／またはその寸法の典型でありうることから、ユーザにはよく知られていてもよい。
【００３８】
好ましくは、カートリッジユニットコーディング構造が異なることから、第２のカートリッジユニットを第２のハウジングに取り付けることができ、第１のカートリッジユニットは取り付けることができない。第１のハウジングおよび第１のカートリッジユニットと同様に、第２のカートリッジユニットと第２のハウジングは、カートリッジユニットインターフェース機能とハウジングインターフェース機能とを有し、これらが協働して、取付け中に案内インターフェースに加えてさらなるインターフェースを形成してもよい。さらなるインターフェースは、傾斜インターフェースを含む。第１のハウジングと第１のカートリッジユニットとの間の傾斜インターフェースを制御する、画成する、またはそれに加わる第１の傾斜表面と、第２のハウジングと第２のカートリッジユニットとの間の傾斜インターフェースを制御する、画成する、またはそれに加わる第２の傾斜表面とは、同じ傾きを有してもよい。それぞれの傾斜表面の角度方向範囲は、第２のステージの回転角度による回転によって画成される角度方向範囲より大きくてもよくまたはそれに等しくてもよい。
【００３９】
言い換えれば、第１のカートリッジユニットと第２のカートリッジユニットおよび／または第１のハウジングと第２のハウジングは、同じ傾きでかつ／または第２のステージの回転角度によって画成される角度方向範囲と少なくとも同じ大きさの角度方向範囲の傾斜表面を含んでもよい。したがって、傾斜表面とコーディング機能とが一体化した傾斜構造を提供することにより、多くの部材または部材用の型を調節する必要なしに薬物送達デバイス内に確立されることが可能なコーディング形状またはコーディングシステムが利用される。
【００４０】
一実施形態では、カートリッジユニットおよび／またはハウジングの案内機能は、第１のカートリッジユニットおよびハウジング用の案内機能と第２のカートリッジユニットおよびハウジング用の案内機能との間で、たとえば幅および角度方向位置を変えることによって、コーディング目的に使用することができる。それでもなお、同じ傾きの傾斜表面を、第１と第２のハウジングおよび／または第１と第２のカートリッジユニットに設けることができる。しかし、それぞれの傾斜構造は、コーディング機能を含んでいない。
【００４１】
言い換えれば、第１の傾斜表面は、複数の傾斜表面を含む第１の傾斜構造の一部であってもよく、第２の傾斜表面は、複数の傾斜表面を含む第２の傾斜構造の一部であってもよく、第１の傾斜構造と第２の傾斜構造は同様にまたは同じやり方で構成される。
【００４２】
一実施形態では、第１のコーディング機能、すなわち第１のハウジングのハウジングコーディング機能または第１のカートリッジユニットのカートリッジユニットコーディング機能は、第１の傾斜構造から軸方向にオフセットしており、第２のコーディング機能、すなわち第２のハウジングのハウジングコーディング機能または第２のカートリッジユニットのカートリッジユニットコーディング機能は、第２の傾斜構造から軸方向にオフセットしている。
【００４３】
一実施形態では、２つのカートリッジユニットの傾斜構造は同様に構成されるが、第１のカートリッジユニットと第２のカートリッジユニットとの間で、カートリッジユニットコーディング機能の角度方向ピッチおよび／またはカートリッジユニットコーディング機能の角度方向幅は異なっている。こうして、第２のカートリッジユニットがハウジングに取り付けられることを防止することができる。この場合、カートリッジユニットまたはハウジングの案内機能のうちの１つまたはそれ以上が、カートリッジユニットまたはハウジングのコーディング機能を形成してもよい。
【００４４】
一実施形態では、両方のカートリッジユニットのカートリッジユニットコーディング機能は、第１のステージの軸方向距離よりも大きいまたはそれに等しい長さを有する表面によって、角度方向に画定される。
【００４５】
カートリッジユニット内および／または異なる寸法のカートリッジ内に、異なる薬物または薬物製剤を含む２つの薬物送達デバイスを有するセットまたは装置の実施形態では、第１のデバイスのカートリッジユニットは、好都合には第２のデバイスのハウジングに連結することができず、好ましくは逆も同様である。したがって、同じ一般的な外観を有するハウジングに保持された異なる駆動機構に、カートリッジユニットを逆に連結してしまうことが、他方の薬物送達デバイスのハウジングコーディング構造と対応していないそれぞれのカートリッジユニットの異なるカートリッジユニットコーディング構造によって、回避されることが可能である。両方のデバイスは、動きの第２のステージ中に確立されかつ／または作用することが可能な対応する傾斜インターフェースを有してもよい。
【００４６】
それぞれのデバイスが上で説明されたデバイスである異なる２つの薬物送達デバイスを有する１セットのまたは１つの装置の実施形態では、いずれかのデバイスのカートリッジユニットをデバイスのハウジングから分離することができ、他方の薬物送達デバイスのハウジングに連結することができる。これら２つのカートリッジユニットは、好都合には、同じ薬物もしくは薬物製剤ならびに／または同じ寸法のカートリッジ、たとえば同じ長さ、直径、および／または容積を含む。２つのデバイスは、好ましくは同一の、たとえば同一の形状および／または配置のカートリッジユニットインターフェース機能および／またはハウジングインターフェース機能、および／またはカートリッジユニットコーディング機能およびハウジングのコーディング機能も備える。
【００４７】
特に有利な実施形態では、薬物送達デバイス用のシステムであって、
−  ハウジングと、
−  ハウジングに取付け可能である、またはハウジングに解放可能に取り付けられるカートリッジユニットと
を含み、カートリッジユニットは、カートリッジユニットをハウジングに取り付けるときに、カートリッジユニットとハウジングの互いに対する相対的な動きを案内するための案内インターフェースを、ハウジングとともに確立するために提供されるカートリッジユニット案内機能を含み、カートリッジユニットは、案内インターフェースに加えて、さらなるインターフェースをハウジングとともに形成するために提供されるカートリッジユニットインターフェース機能であって、さらなるインターフェースは、カートリッジユニットがハウジングに取り付けられるときに確立される、カートリッジユニットインターフェース機能を含み、案内インターフェースは、カートリッジユニットがハウジングに取り付けられるときに、カートリッジユニットとハウジングとの間の少なくとも２つの異なる動きのステージ、すなわち第１のステージの軸方向における第１のステージの軸方向距離分の少なくとも軸方向の動きを有する第１のステージ、および第２のステージの回転方向における第２のステージの角度分の少なくとも回転運動を有する第２のステージを画成するバヨネット型のインターフェースであり、さらなるインターフェースは、傾斜インターフェースであるか、傾斜インターフェースを含むシステムが提供される。
【００４８】
上で説明したように、傾斜インターフェースにより、ハウジングから離れるカートリッジユニットの軸方向の動きが、好ましくは第２のステージ中に実現される。この動きは、駆動機構、特にピストンロッドの遠位端と、カートリッジ内の栓との間の規定初期位置を実現するのに有益であってもよい。代替的にまたは追加的に、コーディング機能は、傾斜構造を確立する傾斜表面を有する共通の傾斜構造に一体化されることが可能である。
【００４９】
本明細書で用いられる場合、「遠位」および「近位」という用語は、反対の軸方向または軸方向端部を指してもよい。「遠位」は、投薬端に向かう方向、またはカートリッジ、カートリッジホルダ、カートリッジユニット、または薬物送達デバイスの投薬端であるかその最も近くに配置されることになる薬物送達デバイスの構成要素の端部を指してもよい。「近位」は、投薬端から離れる方向、またはカートリッジ、カートリッジホルダ、カートリッジユニット、または薬物送達デバイスの投薬端から遠く離れて配置されているか配置されることになる端部を指す。
【００５０】
本明細書で用いられる場合、「軸方向」、「径方向」、「角度方向」、または「方位角方向」は、デバイス、カートリッジユニット、カートリッジ、ハウジング、またはカートリッジホルダの主長手方向軸、たとえばカートリッジユニット、カートリッジ、カートリッジホルダ、または薬物送達デバイスの近位端と遠位端を通って延びている軸に対して使用される。
【００５１】
システム、装置、薬物送達デバイス、または薬物送達デバイスのセットとともに上に開示した機能は、記載した唯一の態様または実施形態を指すものとみなされるべきではない。むしろこれらの機能は、他の実施形態または態様にも当てはまる。当然ながら、上記または下記の特定の実施形態で開示される機能を、互いに組み合わせて適用することもでき、かつ／または他の実施形態の他の機能と組み合わせて適用することもできる。
【００５２】
本開示のさらなる機能、利点、および有利な実施形態は、図面とともに例示的な実施形態の以下の説明から明らかになろう。
【図面の簡単な説明】
【００５３】
【図１Ａ】カートリッジアセンブリの一実施形態の概略斜視図である。
【図１Ｂ】カートリッジアセンブリの一実施形態の概略断面図である。
【図１Ｃ】カートリッジが配置されていない状態のカートリッジホルダを示す、カートリッジアセンブリの一実施形態の図である。
【図１Ｄ】カートリッジが配置されていない状態のカートリッジホルダを示す、カートリッジアセンブリの一実施形態の図である。
【図１Ｅ】カートリッジが配置されていない状態のカートリッジホルダを示す、カートリッジアセンブリの一実施形態の図である。
【図１Ｆ】カートリッジが配置されていない状態のカートリッジホルダを示す、カートリッジアセンブリの一実施形態の図である。
【図２Ａ】カートリッジユニットとしてのカートリッジアセンブリの一実施形態の斜視図である。
【図２Ｂ】カートリッジユニットとしてのカートリッジアセンブリの一実施形態の概略断面図である。
【図３】薬物送達デバイスまたはこれらのデバイス用のシステムの実施形態の概略図である。
【図４】薬物送達デバイスまたはこれらのデバイス用のシステムの実施形態の概略図である。
【図５】薬物送達デバイスまたはこれらのデバイス用のシステムの実施形態の概略図である。
【図６】薬物送達デバイスまたはこれらのデバイス用のシステムの実施形態の概略図である。
【図７】薬物送達デバイスまたはこれらのデバイス用のシステムの実施形態の概略図である。
【図８】薬物送達デバイスまたはこれらのデバイス用のシステムの実施形態の概略図である。
【図９】薬物送達デバイスまたはこれらのデバイス用のシステムの実施形態の概略図である。
【図１０】薬物送達デバイスまたはこれらのデバイス用のシステムの実施形態の概略図である。
【図１１】薬物送達デバイスまたはこれらのデバイス用のシステムの実施形態の概略図である。
【図１２】薬物送達デバイスまたはこれらのデバイス用のシステムの実施形態の概略図である。
【図１３】薬物送達デバイスまたはこれらのデバイス用のシステムの実施形態の概略図である。
【図１４】ある状況における薬物送達デバイスの一実施形態を示す図である。
【図１５】別の状況における薬物送達デバイスの一実施形態を示す図である。
【発明を実施するための形態】
【００５４】
同一の要素、同種の要素、および同一の作用を及ぼす要素には、図全体を通して同じ参照符号が付与される。
【００５５】
以下では、図１Ａ〜図２Ｂとともに、カートリッジユニットとしてのカートリッジアセンブリの実施形態が開示される。いずれの場合も、固定機能は、ユニットのカートリッジホルダに組み込まれている。それぞれの実施形態の詳細を開示する前に、すべての実施形態に当てはまる機能について検討する。図１Ａ〜図１Ｆならびに図２Ａおよび図２Ｂは、それぞれカートリッジアセンブリの一実施形態を示す。「Ａ」で示す図は、いずれの場合もカートリッジアセンブリの概略斜視図を示し、「Ｂ」で示す図では、遠位領域のみ、すなわちアセンブリの遠位端に近い部材を示す。
【００５６】
カートリッジアセンブリ３００は、カートリッジ３０１とカートリッジホルダ３０２を含む。カートリッジ３０１は、カートリッジホルダのカートリッジ把持または保持セクション３０３内に配置される。カートリッジ保持セクションは、カートリッジホルダ３０２の内壁３０４によって、好ましくは周方向に区切られることが好都合である。カートリッジホルダ３０２は、開口部３０５を有する。開口部３０５は、好都合には近位開口部である。近位開口部は、ホルダの近位端からカートリッジホルダの内部へのアクセスを提供することができる。開口部３０５を介して、カートリッジ３０１をカートリッジホルダに挿入することができる。カートリッジの投薬端３０６は、この開口部３０５を通って挿入または導入される。カートリッジホルダの反対側の端部は、カートリッジホルダ３０２の遠位端であり、カートリッジ３０１の投薬端３０６の最も近くに配置された端部とすることができる。カートリッジホルダの遠位端は、好ましくは、たとえば当接により、カートリッジをホルダ内に保持するように設計され、それにより、開口部３０５を通ってしかカートリッジホルダからカートリッジを出すことができない。カートリッジホルダの軸方向範囲は、カートリッジの全長の少なくとも５０％、好ましくは６０％超、または７０％超、たとえば８０％超、または９０％超を覆うように選択されることが好都合である。実施形態に図示するように、カートリッジ全体が、カートリッジホルダ３０２によって覆われてもよい。
【００５７】
投薬端３０６の反対側のカートリッジの端部、すなわち近位端は、図に明示していない。この端部は、可動の栓またはストッパによって閉じることができ、この栓またはストッパも同じく明示していない。栓またはストッパは、カートリッジの近位開口部を密封閉鎖してもよい。薬物３０７または薬剤は、投薬端と栓との間に配置されたカートリッジの領域に含まれる。カートリッジ内部と外部との間で流体連通が実現され、栓が投薬端に向かって動かされると、薬物または薬剤が、カートリッジの投薬端３０６を通って投薬される。カートリッジ内の薬物３０７または薬剤の量は、好ましくは複数回の用量に対して十分であるが、用量のサイズはユーザによって設定されてもよく、またはこのカートリッジを含む薬物送達デバイスから薬物を送達するために使用される駆動機構の設計によって固定されていてもよい。
【００５８】
「薬物」または「薬剤」という用語は、本明細書では同義的に用いられ、１つもしくはそれ以上の活性医薬成分またはそれらの薬学的に許容可能な塩もしくは溶媒和物と、場合により薬学的に許容可能な担体と、を含む医薬製剤を記述する。活性医薬成分（「ＡＰＩ」）とは、最広義には、ヒトまたは動物に対して生物学的効果を有する化学構造体のことである。薬理学では、薬剤または医薬は、疾患の治療、治癒、予防、または診断に使用されるか、さもなければ身体的または精神的なウェルビーイングを向上させるために使用される。薬物または薬剤は、限定された継続期間で、または慢性障害では定期的に使用可能である。
【００５９】
以下に記載されるように、薬物または薬剤は、１つもしくはそれ以上の疾患の治療のために各種タイプの製剤中に少なくとも１つのＡＰＩまたはその組合せを含みうる。ＡＰＩの例としては、５００Ｄａ以下の分子量を有する低分子、ポリペプチド、ペプチド、およびタンパク質（たとえば、ホルモン、成長因子、抗体、抗体フラグメント、および酵素）、炭水化物および多糖、ならびに核酸、二本鎖または一本鎖ＤＮＡ（ネイキッドおよびｃＤＮＡを含む）、ＲＮＡ、アンチセンス核酸たとえばアンチセンスＤＮＡおよびＲＮＡ、低分子干渉ＲＮＡ（ｓｉＲＮＡ）、リボザイム、遺伝子、およびオリゴヌクレオチドが挙げられうる。核酸は、ベクター、プラスミド、またはリポソームなどの分子送達システムに取り込み可能である。１つまたはそれ以上の薬物の混合物も企図される。
【００６０】
薬物または薬剤は、薬物送達デバイスでの使用に適合化された一次パッケージまたは「薬物容器」に包含可能である。薬物容器は、たとえば、１つもしくはそれ以上の薬物の収納（たとえば、短期または長期の収納）に好適なチャンバを提供するように構成されたカートリッジ、シリンジ、リザーバ、または他の硬性もしくは可撓性のベッセルでありうる。たとえば、いくつかの場合には、チャンバは、少なくとも１日間（たとえば、１日間〜少なくとも３０日間）にわたり薬物を収納するように設計可能である。いくつかの場合には、チャンバは、約１カ月〜約２年間にわたり薬物を収納するように設計可能である。収納は、室温（たとえば、約２０℃）または冷蔵温度（たとえば、約−４℃〜約４℃）で行うことが可能である。いくつかの場合には、薬物容器は、投与される医薬製剤の２つ以上の成分（たとえば、ＡＰＩと希釈剤、または２つの異なる薬物）を各チャンバに１つずつ個別に収納するように構成されたデュアルチャンバカートリッジでありうるか、またはそれを含みうる。かかる場合には、デュアルチャンバカートリッジの２つのチャンバは、人体もしくは動物体への投薬前および／または投薬中に２つ以上の成分間の混合が可能になるように構成可能である。たとえば、２つのチャンバは、互いに流体連通するように（たとえば、２つのチャンバ間の導管を介して）かつ所望により投薬前にユーザによる２つの成分の混合が可能になるように構成可能である。代替的または追加的に、２つのチャンバは、人体または動物体への成分の投薬時に混合が可能になるように構成可能である。
【００６１】
本明細書に記載の薬物送達デバイスに含まれる薬物または薬剤は、多くの異なるタイプの医学的障害の治療および／または予防のために使用可能である。障害の例としては、たとえば、糖尿病または糖尿病に伴う合併症たとえば糖尿病性網膜症、血栓塞栓障害たとえば深部静脈血栓塞栓症または肺血栓塞栓症が挙げられる。障害のさらなる例は、急性冠症候群（ＡＣＳ）、アンギナ、心筋梗塞、癌、黄斑変性、炎症、枯草熱、アテローム硬化症および／または関節リウマチである。ＡＰＩおよび薬物の例は、ローテリステ２０１４年（Ｒｏｔｅ  Ｌｉｓｔｅ  ２０１４）（たとえば、限定されるものではないがメイングループ１２（抗糖尿病薬剤）または８６（オンコロジー薬剤））やメルク・インデックス第１５版（Ｍｅｒｃｋ  Ｉｎｄｅｘ，１５ｔｈ  ｅｄｉｔｉｏｎ）などのハンドブックに記載されているものである。
【００６２】
１型もしくは２型糖尿病または１型もしくは２型糖尿病に伴う合併症の治療および／または予防のためのＡＰＩの例としては、インスリン、たとえば、ヒトインスリン、もしくはヒトインスリンアナログもしくは誘導体、グルカゴン様ペプチド（ＧＬＰ−１）、ＧＬＰ−１アナログもしくはＧＬＰ−１レセプターアゴニスト、はそのアナログもしくは誘導体、ジペプチジルペプチダーゼ−４（ＤＰＰ４）阻害剤、またはそれらの薬学的に許容可能な塩もしくは溶媒和物、またはそれらのいずれかの混合物が挙げられる。本明細書で用いられる場合、「アナログ」および「誘導体」という用語は、天然に存在するペプチドに存在する少なくとも１つのアミノ酸残基の欠失および／または交換によりおよび／または少なくとも１つのアミノ酸残基の付加により天然に存在するペプチドの構造たとえばヒトインスリンの構造から形式的に誘導可能な分子構造を有するポリペプチドを指す。付加および／または交換アミノ酸残基は、コード可能アミノ酸残基または他の天然に存在する残基または純合成アミノ酸残基のどれかでありうる。インスリンアナログは、「インスリンレセプターリガンド」とも呼ばれる。特に、「誘導体」という用語は、天然に存在するペプチドの構造から形式的に誘導可能な分子構造、たとえば、１つまたはそれ以上の有機置換基（たとえば脂肪酸）がアミノ酸の１つまたはそれ以上に結合したヒトインスリンの分子構造を有するポリペプチドを指す。場合により、天然に存在するペプチドに存在する１つまたはそれ以上のアミノ酸が、欠失し、および／または非コード可能アミノ酸を含めて他のアミノ酸によって置き換えられ、または天然に存在するペプチドに非コード可能なものを含めてアミノ酸が付加される。
【００６３】
インスリンアナログの例は、Ｇｌｙ（Ａ２１）、Ａｒｇ（Ｂ３１）、Ａｒｇ（Ｂ３２）ヒトインスリン（インスリングラルギン）；Ｌｙｓ（Ｂ３）、Ｇｌｕ（Ｂ２９）ヒトインスリン（インスリングルリジン）；Ｌｙｓ（Ｂ２８）、Ｐｒｏ（Ｂ２９）ヒトインスリン（インスリンリスプロ）；Ａｓｐ（Ｂ２８）ヒトインスリン（インスリンアスパルト）；位置Ｂ２８のプロリンがＡｓｐ、Ｌｙｓ、Ｌｅｕ、ＶａｌまたはＡｌａに置き換えられたうえに位置Ｂ２９のＬｙｓがＰｒｏに置き換えられていてもよいヒトインスリン；Ａｌａ（Ｂ２６）ヒトインスリン；Ｄｅｓ（Ｂ２８〜Ｂ３０）ヒトインスリン；Ｄｅｓ（Ｂ２７）ヒトインスリンおよびＤｅｓ（Ｂ３０）ヒトインスリンである。
【００６４】
インスリン誘導体の例は、たとえば、Ｂ２９−Ｎ−ミリストイル−ｄｅｓ（Ｂ３０）ヒトインスリン、Ｌｙｓ（Ｂ２９）（Ｎ−テトラデカノイル）−ｄｅｓ（Ｂ３０）ヒトインスリン（インスリンデテミル、レベミル（Ｌｅｖｅｍｉｒ）（登録商標））；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−ガンマ−グルタミル）−ｄｅｓ（Ｂ３０）ヒトインスリン、Ｂ２９−Ｎ−オメガ−カルボキシペンタデカノイル−ガンマ−Ｌ−グルタミル−ｄｅｓ（Ｂ３０）ヒトインスリン（インスリンデグルデク、トレシーバ（Ｔｒｅｓｉｂａ）（登録商標））；Ｂ２９−Ｎ−（Ｎ−リトコリル−ガンマ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリンおよびＢ２９−Ｎ−（ω−カルボキシヘプタデカノイル）ヒトインスリンである。
【００６５】
ＧＬＰ−１、ＧＬＰ−１アナログおよびＧＬＰ−１レセプターアゴニストの例は、たとえば、リキシセナチド（リキスミア（Ｌｙｘｕｍｉａ）（登録商標））、エキセナチド（エキセンジン−４、バイエッタ（Ｂｙｅｔｔａ）（登録商標）、ビデュリオン（Ｂｙｄｕｒｅｏｎ）（登録商標）、ヒラモンスターの唾液腺により産生される３９アミノ酸ペプチド）、リラグルチド（ビクトーザ（Ｖｉｃｔｏｚａ）（登録商標））、セマグルチド、タスポグルチド、アルビグルチド（シンクリア（Ｓｙｎｃｒｉａ）（登録商標））、デュラグルチド（トルリシティ（Ｔｒｕｌｉｃｉｔｙ）（登録商標））、ｒエキセンジン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン、ＯＲＭＤ−０９０１、ＮＮ−９９２４、ＮＮ−９９２６、ＮＮ−９９２７、ノデキセン、ビアドール−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎである。
【００６６】
オリゴヌクレオチドの例は、たとえば、家族性高コレステロール血症の治療のためのコレステロール低下アンチセンス治療剤ミポメルセンナトリウム（キナムロ（Ｋｙｎａｍｒｏ）（登録商標））である。
【００６７】
ＤＰＰ４阻害剤の例は、ビダグリプチン、シタグリプチン、デナグリプチン、サキサグリプチン、ベルベリンである。
【００６８】
ホルモンの例としては、脳下垂体ホルモンもしくは視床下部ホルモンまたはレギュラトリー活性ペプチドおよびそれらのアンタゴニスト、たとえば、ゴナドトロピン（フォリトロピン、ルトロピン、コリオンゴナドトロピン、メノトロピン）、ソマトロピン（Ｓｏｍａｔｒｏｐｉｎｅ）（ソマトロピン（Ｓｏｍａｔｒｏｐｉｎ））、デスモプレシン、テルリプレシン、ゴナドレリン、トリプトレリン、リュープロレリン、ブセレリン、ナファレリン、およびゴセレリンが挙げられる。
【００６９】
多糖の例としては、グルコサミノグリカン、ヒアルロン酸、ヘパリン、低分子量ヘパリンもしくは超低分子量ヘパリンもしくはそれらの誘導体、もしくは硫酸化多糖たとえばポリ硫酸化形の上述した多糖、および／またはそれらの薬学的に許容可能な塩が挙げられる。ポリ硫酸化低分子量ヘパリンの薬学的に許容可能な塩の例は、エノキサパリンナトリウムである。ヒアルロン酸誘導体の例は、ハイランＧ−Ｆ２０（シンビスク（Ｓｙｎｖｉｓｃ）（登録商標））、ヒアルロン酸ナトリウムである。
【００７０】
本明細書で用いられる「抗体」という用語は、イムノグロブリン分子またはその抗原結合部分を指す。イムノグロブリン分子の抗原結合部分の例としては、抗原への結合能を保持するＦ（ａｂ）およびＦ（ａｂ’）２フラグメントが挙げられる。抗体は、ポリクローナル抗体、モノクローナル抗体、組換え抗体、キメラ抗体、脱免疫化もしくはヒト化抗体、完全ヒト抗体、非ヒト（たとえばネズミ）抗体、または一本鎖抗体でありうる。いくつかの実施形態では、抗体は、エフェクター機能を有するとともに補体を固定可能である。いくつかの実施形態では、抗体は、Ｆｃレセプターへの結合能が低減されているか、または結合能がない。たとえば、抗体は、Ｆｃレセプターへの結合を支援しない、たとえば、Ｆｃレセプター結合領域の突然変異もしくは欠失を有するアイソタイプもしくはサブタイプ、抗体フラグメントまたは突然変異体でありうる。抗体という用語は、４価二重特異的タンデムイムノグロブリン（ＴＢＴＩ）および／またはクロスオーバー結合領域配向を有する二重可変領域抗体様結合タンパク質（ＣＯＤＶ）に基づく抗原結合分子も含む。
【００７１】
「フラグメント」または「抗体フラグメント」という用語は、完全長抗体ポリペプチドを含まないが依然として抗原に結合可能な完全長抗体ポリペプチドの少なくとも一部分を含む抗体ポリペプチド分子由来のポリペプチド（たとえば、抗体重鎖および／または軽鎖ポリペプチド）を指す。抗体フラグメントは、完全長抗体ポリペプチドの切断部分を含みうるが、この用語は、かかる切断フラグメントに限定されるものではない。本発明に有用な抗体フラグメントとしては、たとえば、Ｆａｂフラグメント、Ｆ（ａｂ’）２フラグメント、ｓｃＦｖ（一本鎖Ｆｖ）フラグメント、線状抗体、単一特異的または多重特異的な抗体フラグメント、たとえば、二重特異的、三重特異的、四重特異的および多重特異的抗体（たとえば、ダイアボディ、トリアボディ、テトラボディ）、１価または多価抗体フラグメント、たとえば、２価、３価、４価および多価の抗体、ミニボディ、キレート化組換え抗体、トリボディまたはビボディ、イントラボディ、ナノボディ、小モジュール免疫医薬（ＳＭＩＰ）、結合ドメインイムノグロブリン融合タンパク質、ラクダ化抗体、およびＶＨＨ含有抗体が挙げられる。抗原結合抗体フラグメントの追加の例は当技術分野で公知である。
【００７２】
「相補性決定領域」または「ＣＤＲ」という用語は、特異的抗原認識を媒介する役割を主に担う、重鎖および軽鎖の両方のポリペプチドの可変領域内の短いポリペプチド配列を指す。「フレームワーク領域」という用語は、ＣＤＲ配列でないかつ抗原結合が可能になるようにＣＤＲ配列の適正配置を維持する役割を主に担う、重鎖および軽鎖の両方のポリペプチドの可変領域内のアミノ酸配列を指す。フレームワーク領域自体は、典型的には抗原結合に直接関与しないが、当技術分野で公知のように、ある特定の抗体のフレームワーク領域内のある特定の残基は、抗原結合に直接関与しうるか、またはＣＤＲ内の１つもしくはそれ以上のアミノ酸と抗原との相互作用能に影響を及ぼしうる。
【００７３】
抗体の例は、抗ＰＣＳＫ−９  ｍＡｂ（たとえば、アリロクマブ）、抗ＩＬ−６  ｍＡｂ（たとえば、サリルマブ）、および抗ＩＬ−４  ｍＡｂ（たとえば、デュピルマブ）である。
【００７４】
本明細書に記載のいずれのＡＰＩの薬学的に許容可能な塩も、薬物送達デバイスで薬物または薬剤に使用することが企図される。薬学的に許容可能な塩は、たとえば、酸付加塩および塩基性塩である。
【００７５】
本明細書に記載のＡＰＩ、公式、装置、方法、システム、および実施形態の様々な構成要素の修正（追加および／または除去）は、本発明の完全な範囲および趣旨から逸脱することなく行うことができ、本発明の完全な範囲および趣旨は、そうした修正形態、およびあらゆるその等価物を包含することを、当業者は理解するであろう。
【００７６】
投薬端３０６側では、薬物または薬剤３０７を保有しているカートリッジの内部が、セプタム３０８によって密封閉鎖されている。セプタム３０８は、セプタムリテーナ３０９によって、カートリッジのカートリッジ本体３４０に対して保持または固定されることが可能である。セプタム３０８は、好都合にはたとえば針によって穿孔可能であり、これによりカートリッジの内部と外部の間に流体連通が実現される。セプタムリテーナ３０９は、キャップ、たとえばアルミニウムキャップなどの金属キャップによって形成される。金属キャップは、締付けまたは圧着によりカートリッジ本体３４０に連結される。カートリッジの本体は、ガラス製であってもよい。本体３４０は、カートリッジの外側輪郭を画成してもよい。針がセプタムを穿孔するはずの投薬端３０６の領域では、セプタムリテーナ３０８に開口部が設けられて、セプタムリテーナの領域を針が通れるようになっている。カートリッジ３０１は、ヘッド部分３１０と本体部分３１１とを含む。ヘッド部分３１０は、投薬端３０６側に配置される。本体部分３１１は、ヘッド部分３１０よりもカートリッジの近位端の近くに配置される。ヘッド部分３１０と本体部分３１１との間にネック部分３１２が配置される。本体部分３１１は、栓またはストッパが移動できる領域とすることができる。本体部分は、管状の構成を有する。ネック部分３１２は、直径、すなわち外径および／または内径が、本体部分３１１に比べて小さくてもよい。ヘッド部分３１０は、直径、すなわち外径および／または内径が、本体部分３１１に比べて小さい。ネック部分３１２は、本体部分に比べて小さい直径を有し、かつヘッド部分３１０よりも小さい直径を有する。直径は、近位端と遠位端の間に延びているカートリッジまたはカートリッジアセンブリの主長手方向軸に対して垂直な方向におけるカートリッジの範囲とすることができる。ネック部分は、周方向に延びてもよい。カートリッジ３０１全体は、主長手方向軸に対して回転対称とすることができる。ヘッド部分３１０とネック部分３１２との間の移行部は、比較的急角度の表面によって形成されるが、この表面は、好ましくは、ネック部分３１２と本体部分３１１との間に設けられた表面ほど径方向に対して傾斜していない。したがって、ネック部分３１２と本体部分３１１との間の移行部は、ヘッド部分３１０とネック部分３１２との間の移行部ほど急角度ではない。具体的には、近位方向にヘッド部分３１０を画定することができるカートリッジ表面３１３は、遠位方向に本体部分を画定するショルダ表面３１４の傾斜より小さい傾斜を径方向に対して有してもよい。カートリッジ表面は、セプタムリテーナ３０９によって形成されてもよく、または代替的にカートリッジ本体３４０によって形成されてもよい。セプタムリテーナ３０９は、セプタムをカートリッジ本体に締め付けてもよい。したがって、カートリッジの遠位端から離れる方向に面し径方向に延びるカートリッジ本体のネック部分の表面まで、セプタムリテーナが遠位端からカートリッジに沿って延びて、カートリッジ本体にセプタム３０８を締め付けてもよい。カートリッジは、カートリッジ本体３４０、セプタム３０８、セプタムリテーナ３０９、薬物または薬剤３０７、および／または栓（明示していない）を含むか、それらから構成される。
【００７７】
カートリッジホルダ３０２は、開口部３０５とは反対の、カートリッジの投薬端３０６に最も近い端部に、すなわちその遠位端に、遠位端壁３１５を含む。遠位端壁は、周方向にリング状に延びていてもよい。遠位端壁３１５の近位表面は、カートリッジ３０１の遠位端面に当接するように配置される。こうして、カートリッジ３０１は、カートリッジホルダ３０２に対して遠位方向に動くことなく、カートリッジホルダに保持されることが可能である。遠位端壁３１５は、カートリッジホルダに開口部３１６を画成してもよい。開口部が端壁内の中央開口部になるように、端壁は開口部の周りに延びていてもよい。開口部は、端壁３１５を軸方向に貫通して延びていてもよい。開口部３１６は、針がカートリッジに向かって、特にセプタム３０８に向かって開口部を通って案内されることが可能になるように設けられる。
【００７８】
カートリッジホルダ３０２は、遠位領域３１７と本体領域３１８とを含んでもよい。遠位領域３１７は、カートリッジの投薬端および／またはカートリッジホルダの遠位端壁３１５の最も近くに配置される。本体領域３１８は、遠位端または遠位端壁３１５から遠く離れて、かつ／または遠位領域よりも開口部３０５の近くに配置される。本体領域に比べて、遠位領域の外径は縮小されていてもよい。縮小の程度は、カートリッジの本体部分の直径と比べて小さいヘッド部分の直径によって決定されてもよい。本体領域３１８と遠位領域は、内向きのショルダ領域３３１によってつながっている。遠位領域には、針コネクタ３１９、たとえばねじ山が配置される。針コネクタにより、針ユニット、たとえば針ユニットのハブを、カートリッジホルダ３０２に固定することができる。針ハブに保持された針は、開口部３１６を通るように案内され、セプタム３０８を穿孔し、カートリッジの内部に流体連通を提供して、カートリッジ３０１から薬物または薬剤３０７を投薬できるようにしてもよい。遠位領域３１７は、その内部でカートリッジ３０１のヘッド部分３１０を受けるように設計される。本体領域３１８は、カートリッジの本体部分３１１を受けるように設計される。近位端側では、カートリッジホルダが連結領域またはインターフェース領域３２０を有してもよい。この領域に連結機能またはインターフェース機能が提供され、これらの機能は、ハウジング１０の対応する機能と協働するように構成されて、カートリッジアセンブリ３００をハウジングに連結して薬物送達デバイス１が形成される（図４および図５を参照）。連結機能は、カートリッジホルダとハウジングとの間でねじ連結またはバヨネット連結できるように設計される。好ましくは、連結機能またはインターフェース機能は、カートリッジアセンブリのカートリッジに入れられた薬物用に設計された駆動機構を収容するハウジングに対してコーディングされる。コーディングにより、適切なカートリッジアセンブリだけをハウジングにアセンブリして薬物送達デバイスを形成できることが保証される。こうして、カートリッジの内容物を投薬するように専用に設計された駆動機構を使用して、カートリッジアセンブリ内の薬物が投薬されることを保証することができる。駆動機構はピストンロッドを含んでもよく、このピストンロッドは、薬物または薬剤をカートリッジから投薬すべき場合に、カートリッジに対して遠位方向に栓またはストッパを駆動するために配置される。カートリッジホルダに適用することができる潜在的なコーディングの実施形態については、以下でさらに詳細に検討する。
【００７９】
カートリッジホルダ３０２の近位端と遠位端の間に、好ましくは遠位端よりも近位端の近くに、径方向外向きに突出した段３２１またはフランジが設けられる。段またはフランジ３２１は、カートリッジホルダ３０２の周囲全体にわたって延びていてもよい。段３２１の近位表面は、カートリッジアセンブリがハウジングに連結されたときに、ハウジングの遠位表面に接触するように配置される。アセンブリがハウジングに連結されたとき、連結領域３２０はハウジングによって覆われる。しかし、本体領域３１８および遠位領域３１７は、ハウジングから突出してもよい。
【００８０】
さらに、カートリッジホルダ３０２は、少なくとも１つの固定機能３２２を含む。軸方向に沿って見るとき、固定機能３２２は、カートリッジホルダの２つの内部領域間に設けられ、これらの２つの内部領域のうちの一方は、ヘッド部分３１０を受け保持するように適用されており、他方は、カートリッジの本体部分を受け保持するように適用されている。固定機能３２２は、カートリッジ３０１のネック部分の領域に延びていてもよい。固定機能３２２は、カートリッジホルダ３０２の内壁から径方向に突出している。好ましくは、固定機能３２２は、この領域において内径がカートリッジのヘッド部分の外径より小さくなるように、カートリッジホルダの内径を小さくする。
【００８１】
したがって、カートリッジのヘッド部分が、近位開口部から固定機能を通過して軸方向に案内される場合、固定機能は径方向外向きに、たとえば径方向だけに変位する状態で、逸らされなくてはならない。固定機能が逸らされると、ヘッド部分は固定機能を通過することができる。好ましくは、固定機能は、ヘッド部分が固定機能の近位表面と協働することにより逸らされ、この近位表面は傾斜していてもよく、すなわちカートリッジホルダの主軸に対して垂直でも水平でもない。ヘッド部分が固定機能を通過した後、固定機能は再び径方向内向きに、たとえば弾性的に動いてもよい。ヘッド部分３１０を受けるように設計されたカートリッジホルダの内部領域は、本体部分３１１を受ける領域よりも小さい直径を有してもよい。
【００８２】
固定機能３２２は、カートリッジホルダの外面または少なくとも外側輪郭を画成するカートリッジホルダのセクションと一体に、たとえば射出成形によって形成される。つまり、適用可能な場合には、カートリッジホルダの外面にコーティングが施されてもよいが、固定機能が一体化されたカートリッジホルダのセクションによって外側輪郭がなお画成されることが可能である。図１Ａ〜図４Ａでは、射出ゲートマーク３２３が示されており、これは、カートリッジホルダの形状を画成する成形キャビティ内に流体プラスチック化合物が射出された位置を示している。射出ゲートマーク３２３は、カートリッジホルダの遠位端壁３１５の領域、特に遠位端壁の遠位面に位置する。
【００８３】
固定機能３２２は、固定表面３２４を含む。固定表面３２４は、固定機能の遠位表面であってもよい。好ましくは、固定表面は径方向に配向される。すなわち、固定表面は、径方向および／または径方向平面に延びている。固定表面３２４は、カートリッジ表面３１３など、カートリッジの近位方向に面する表面に当接するように配置され、または当接する。したがって、カートリッジ表面３１３および固定表面３２４は、カートリッジが開口部３０５を通ってカートリッジホルダから近位方向に動くのを、互いの機械的協働によって防止するように配置される。したがって、開口部３０５を通ってホルダからカートリッジが取り外されることが、固定機能３２２によって防止される。固定機能３２２を、スナップおよび／またはクリップの機能として形成してもよい。固定機能または固定表面の角度方向範囲は、２０°、１５°、１０°の値のうちの１つの値より小さくてもよくまたはそれに等しくてもよい。
【００８４】
さらに、カートリッジホルダの外壁が、固定機能の軸方向位置に設けられる。したがって、カートリッジホルダは、少なくとも固定機能の領域では閉じている。したがって、固定表面および／または固定機能に外側からアクセスすることはできない。これは、カートリッジアセンブリが不正開封されうる可能性を低下させる。
【００８５】
以下では、カートリッジホルダに一体化された固定機能を有するカートリッジホルダのいくつかの実施形態を、より詳細に検討する。図１Ａおよび図１Ｂに示す実施形態は、１つの固定機能３２２、特にただ１つの固定機能を有する。当然ながら、複数の固定機能を設けることも可能である。こうした実施形態は、図１Ａおよび図１Ｂの実施形態に非常によく似ている図２Ａおよび図２Ｂに示してある。
【００８６】
固定機能３２２は、カートリッジホルダ３０２の内壁３０４から径方向に突出している。固定機能３２２は、カートリッジホルダ３０２の遠位領域３１７の内部、特に針コネクタ３１９が外部に設けられるカートリッジホルダの内部領域に配置される。図１Ａおよび図１Ｂから明らかなように、全体的にリング状の構成を有する遠位端壁３１５は、開口部３２５を有する。開口部３２５は径方向に配向され、遠位端壁３１５によって画成されるリングを遮っている。開口部３２５は、開口部３１６から径方向外向きに延びている。開口部３２５の角度方向位置および径方向位置は、固定機能３２２または固定表面３２４のうちの１つに対応してもよく、開口部は固定機能から軸方向に、たとえば遠位方向にオフセットしている。特に、遠位端から軸に沿って見るとき、遠位端から固定表面が見えてもよい。固定表面は、開口部３２５を画定する側壁によって径方向および角度方向に囲まれてもよい。図では、カートリッジ３０１のヘッド部分３１０が、開口部３２５と固定表面３２４の間に配置される。開口部３２５の角度方向寸法および／または径方向寸法は、固定表面および／または固定機能の角方向度寸法および／または径方向寸法を画成してもよく、それに対応してもよく、またはそれより大きくてもよい。遠位端の領域に開口部を設けることにより、固定機能を有していないカートリッジホルダに比べて、軽微な修正を型または成形ツールに加えるだけで、一体化された固定機能を有するカートリッジホルダの成形が容易になる。固定機能を有していないカートリッジホルダでは、異なる直径の２つのコアピンを使用して、射出成形によりカートリッジホルダが生産され、１つのコアピンは遠位領域の内部を画成し、１つのコアピンは、カートリッジホルダの本体領域３１８の内部を画成する。短いコアピンが、遠位領域の内部を画成してもよく、長いコアピンが、本体領域の内部の領域を画成してもよい。固定機能３２２は、射出成形ツールの２つの異なるコアピンのちょうど交差部または境界で一体化される。開口部３２５は、成形プロセス中に形成されることが可能であり、固定機能３２２が一体化されたカートリッジホルダの成形を容易にする。開口部３２５は、短いコアピン上の、たとえば金属の突出部によって画成される。
【００８７】
固定機能が設けられる領域、たとえば遠位領域３１７では、カートリッジホルダが径方向に変形可能であってもよい。したがって、カートリッジホルダが径方向外向きに向かう力にさらされたとき、内径が増大してもよい。径方向に向かう力にさらされたとき、径方向に変形されるカートリッジホルダの性能は、開口部３２５に角度方向に重なる遠位領域３１７の角度方向セクションでより高くなっていてもよい。固定機能３２２は、開口部に角度方向に重なるので、この領域に配置される。固定機能は、好都合には非可撓性でありかつ／または剛性であり、たとえば遠位領域３１７、またはカートリッジのヘッド部分が配置されることになる第１の領域の内壁よりも剛性が高い。したがって、軸方向および／または径方向の力が固定機能に作用するとき、たとえばヘッド部分が、固定機能に沿ってそれに接触して案内されるとき、固定機能３２２が剛性であることによりカートリッジホルダが広がる。固定機能自体は変形も屈曲もしない。ヘッド部分３１０が固定機能３２２を通過すると、固定機能は再び内向きに変位し、カートリッジ表面３１３および固定表面３２４は、図１Ｂに示すように配置される。固定機能は、好ましくはこのプロセス中に変形せず、特に軸方向に逸れたり枢動したりしない。
【００８８】
図１Ｂに示すように、固定表面３２４から遠位にオフセットしたところにスロープ表面３２６が配置され、このスロープ表面３２６は遠位方向でその範囲に沿って径方向に隆起している。好ましくは固定表面の反対側に配置されるか、固定表面から少なくとも角度的にオフセットして配置されるこの表面により、固定表面３２４に径方向に重なる領域に向かってカートリッジ３０１のヘッド部分３１０の径方向の動きが実現される。したがって、このスロープ表面は、カートリッジアセンブリ３００のアセンブリプロセス中に、カートリッジ案内機能として作用する。したがって、スロープ表面３２６について述べることは、カートリッジ案内機能について述べることみなされてもよく、その逆も同様である。カートリッジがその最終位置に到達したときの固定表面３２４とカートリッジ３０１の表面３１３との径方向の重なりは、こうして増大される。スロープ表面３２６は、たとえば１つの固定機能しか設けられない場合に、カートリッジホルダにカートリッジを固定する安定性を強化することができる。
【００８９】
固定機能、固定表面３２４、および／または固定機能３２２の径方向自由端からの、カートリッジ案内機能３２６の遠位へのオフセット（図１Ｂにおいて「Ｂ」と示す）は、カートリッジのセプタム３０８の厚さ（図１Ｂにおいて「Ａ」と示す）より大きくてもよい。これにより、カートリッジが固定機能３２２と相互作用して、カートリッジホルダの内部を一時的に広げるために固定機能を径方向に変位させるとき、セプタムリテーナ３０９が、好ましくはセプタムではなく、より剛性の高いカートリッジ本体３４０によって支持されることが保証される。したがって、固定機能３２２を変位させるのに必要な力が、セプタムに伝わらない。この力がセプタムに伝わると、薄い金属の構成要素とすることができるセプタムリテーナ３０９が変形したり、セプタムが損傷したりするリスクが、かなり増大する。これは、カートリッジ案内機能３２６と固定表面３２４とが、セプタム３０８の厚さよりも大きく遠位にオフセットしていることにより、回避することが可能である。遠位へのオフセットＢは、カートリッジのヘッド部分３１０の軸方向範囲よりも小さいことが好都合である。こうして、カートリッジ案内機能は、ヘッド部分３１０と協働することにより、カートリッジ３０１を径方向内向きに適切に案内することができる。
【００９０】
カートリッジ案内機能３２６と固定表面３２４との間のカートリッジホルダ３０２の内部の領域では、カートリッジ案内機能の領域および／またはカートリッジ案内機能から遠位にオフセットした領域が存在してもしなくてもよいが、もし存在するなら、カートリッジホルダの内径は、その領域より大きくてもよい。カートリッジ案内機能と固定表面との間のカートリッジホルダの内部の領域では、固定機能の領域の内径よりも、内径が大きくてもよい。カートリッジ案内機能３２６の領域および／またはカートリッジ案内機能より遠位の領域では、カートリッジホルダの内径が、固定機能の領域の内径より大きくてもよく、たとえばヘッド部分３１０の外径より大きくてもよくまたはそれに等しくてもよい。
【００９１】
言い換えれば、セプタムリテーナまたは金属スリーブ３０９は、柔らかいセプタム３０８を囲む遠位セクションと、カートリッジ本体またはガラスアンプルのネック部を囲む近位セクションを有する。セプタムリテーナの遠位セクションが固定表面３２４を通過してから、この遠位セクションカートリッジ案内機能またはスロープ表面３２６に接触するなら、有利である。こうして、金属スリーブ３０９と固定表面との径方向の重なりは、固定表面が金属スリーブ３０９を傷つける恐れのあるアセンブリ期間中には最小限に抑えられ、固定表面が金属スリーブ３０９の遠位セクションを通過し、近位セクションに径方向圧力を加えているときにのみ、この重なりが大きくなる。近位セクションは、遠位セクションよりも硬い、たとえばガラス状の材料で支持されるので、損傷したり凹んだりすることはない。アセンブリプロセスの終了時、固定表面とカートリッジ表面との最終的な重なりは、なお大きい。最終的な重なりは、スロープ表面３２６の終端を示すスロープ表面の領域におけるカートリッジホルダの内径がより小さいことによって、画成される。
【００９２】
一体化された固定機能３２２を有するカートリッジホルダ３０２が試験されたとき、スロープ表面３２６の前の直径がスロープ３２６の後の直径よりも十分に大きく、それによりセプタムリテーナの遠位セクションにおける干渉がある場合にはその干渉が最小の状態でカートリッジ３０１が固定機能から離れるように動くことができ、カートリッジ本体の、たとえばガラスのヘッド部分がセプタムリテーナを支持／サポートするセプタムリテーナ３０９の領域に固定機能が圧力を加えた後にのみ、この干渉が増大するようにしない限り、薄く容易に変形可能な金属構成要素でありうるセプタムリテーナ３０９の遠位セクションが大きく凹むことが見いだされている。
【００９３】
カートリッジ３０１がカートリッジホルダ３０２にアセンブリ済みであるとき、固定機能３２２は、ホルダ３０２に対するカートリッジ３０１の近位方向の動きを阻止することができる。しかし、固定機能は、好都合にはカートリッジに対して固定力、たとえば遠位方向または近位方向の力をいつもかけるわけではなく、カートリッジホルダからカートリッジが外れるのを防止するだけである。こうして、カートリッジにかかる力の負荷を有利に低くすることができる。
【００９４】
図１Ｃ〜図１Ｆは、カートリッジホルダ３０２のさらなる図を示す。図１Ｃは、遠位端からの見た図を示す。すぐにわかるように、固定機能３２２の角度方向寸法は、開口部３２５の角度方向寸法より小さい。固定機能３２２または固定表面の径方向寸法も、開口部３２５の径方向寸法より小さい。同じく遠位端を示すが斜視図である図１Ｄから推測できることは、固定機能３２２に角度方向に隣接した領域において、カートリッジホルダ、特に遠位領域３１７が補強されていること、すなわち壁の強度または厚さが大きいことである。補強セクション３４１は、カートリッジホルダの内部に周方向に延びている。補強セクションは、固定機能に軸方向に重なってもよい。代替的にまたは追加的に、補強セクション３４１は、固定機能３２２から遠位方向にオフセットして配置される。固定機能に角度方向に重なるカートリッジホルダの内部の領域では、ヘッド部分が固定機能３２２を径方向に変位させるときにカートリッジホルダが径方向に変形しやすくなるように、補強セクションは、好ましくは遮られている。
【００９５】
開口部３２５から軸方向に固定表面３２４の方を見るとき、ホルダ３０２の壁厚さは、補強セクション３４１の壁厚さより薄くてもよい。固定機能３２２の領域における、固定機能によって画成されるカートリッジホルダ３０１の壁厚さは、補強セクション３４１の壁厚さより分厚くてもよい。固定機能３２２は、補強セクション３４１上に径方向に突出していてもよい。補強セクション３４１は、カートリッジホルダ３０２の断面斜視図を示す図１Ｆにも描かれている。カートリッジホルダ３０２の近位端から見た図を示す図１Ｅと同様に、この図にも、カートリッジホルダの内部が、周方向に配設された複数の、好ましくは等間隔のスペーサ機能またはカートリッジ支持機能３４２、たとえばリブを含むことが示してある。この機能３４２は軸方向に配向される。この機能３４２は、カートリッジがカートリッジホルダに保持された場合に、カートリッジ、たとえばその本体部分３１１を径方向に支持するために設けられる。これらの機能は、より小さい直径のカートリッジを受けるカートリッジホルダと、より大きい直径のカートリッジを受けるカートリッジホルダとの唯一の違いでありうる。より大きい直径用のカートリッジホルダは、カートリッジ支持機能３４２を有していなくてもよいことが好都合である。したがって、カートリッジホルダの外部寸法は同じにすることができるが、カートリッジホルダに保持されたカートリッジの外径は異なる。
【００９６】
たとえば図１Ｂなどの図から明らかなように、針コネクタ３１９、たとえばねじ山は、固定機能３２２から遠位方向にオフセットしている。具体的には、固定機能とカートリッジ案内機能またはスロープ表面３２６との間の領域には、針コネクタ３１９がなくてもよい。針コネクタは、カートリッジ案内機能３２６と軸方向に重なってもよく、またはこの機能３２６から遠位方向にオフセットした状態で提供されてもよい。したがって、針コネクタ３１９の軸方向範囲は、他のカートリッジホルダの設計より短いことがある。たとえば、針コネクタ３１９は、カートリッジホルダの遠位領域３１７の遠位セクションに限定され、針コネクタ３１９と本体領域との間に、コネクタのない領域が配置される。コネクタのない領域の軸方向範囲は、針コネクタを有する遠位セクションの軸方向範囲の５０％より大きくてもよい。針コネクタを有する遠位セクションの軸方向範囲は、コネクタのない領域の軸方向範囲より大きくてもよい。たとえばカートリッジホルダ３０２の所与の外側輪郭または寸法を維持することを目的として、固定機能３２２と案内機能３２６との間の領域において、カートリッジホルダの壁厚さを薄くして、カートリッジホルダ３０２の内径を大きくしているので、コネクタ３１９に必要とされる追加的な径方向のくぼみをこの領域の外側に設けることは、この領域においてカートリッジホルダが損傷するリスクを高めるか、成形不可能にすらすることになる。したがって、短い針コネクタが有利である。
【００９７】
図示してある実施形態は、１つの固定機能しか示していないが、複数の固定機能が使用される場合にはスロープ表面も提供される。しかし、以下の実施形態では、スロープ表面は示されていない。
【００９８】
図２Ａおよび図２Ｂでは、２つの固定機能３２２が一体化されているカートリッジホルダ３０２を示す。固定機能３２２は反対側に配設され、各固定機能は、フランジ状に形成されたカートリッジ表面３１３に当接するように配置された固定表面３２４を有する。それぞれの固定機能の固定表面３２４の位置に角度方向および／または径方向に対応する位置に、カートリッジホルダのリング状の形状を遮る２つの開口部が、カートリッジホルダの遠位端壁３１５に設けられている。それぞれの開口部３２５は、中央開口部３１６につながっていてもよい。前に説明したように、特に容易で低コストのプロセスであり、大量生産に好適な射出成形によりカートリッジホルダに固定機能を一体化することが、この開口部３１６によって容易になる。したがって、開口部に関する上の開示は、この実施形態にも適用される。さらに、３つ以上の固定機能を設けることもできる。図２Ｂでは、針コネクタは固定機能３２２に軸方向に重なる。
【００９９】
固定機能３２２は、図示した実施形態のヘッド部分と相互作用するので、異なる形状の本体部分を有するカートリッジ、たとえば１．５ｍＬと３ｍＬなど異なる容積、異なる直径、および／または異なる長さのカートリッジを、容易にカートリッジホルダに固定することができる。カートリッジのヘッド部分は同様に形成されることが可能である。
【０１００】
本開示は、カートリッジがカートリッジユニットとして中に恒久的に固定されるカートリッジアセンブリにとって、特に有利であることが理解されるべきである。しかし、カートリッジホルダ内でカートリッジを交換することができる取外し可能カートリッジを有するカートリッジホルダも、本開示の概念においてカートリッジユニットとして使用可能である。
【０１０１】
異なる容積のカートリッジは、異なる長さおよび／または異なる内径および／または異なる外径を有してもよい。カートリッジアセンブリは、たとえば薬局で販売される使い捨てアイテムであってもよい。同じ容積または異なる容積の異なるカートリッジは、異なる薬物または薬物製剤を含んでもよい。小容積のカートリッジは、濃度の高い薬物を有してもよい。薬物が、たとえばインスリンまたはインスリン誘導体である場合には、小容積のカートリッジは、大容積のカートリッジの薬物または薬剤の濃度の２倍超、たとえば３倍の濃度を有してもよい。大容積カートリッジ内の薬物は、同じ活性医薬成分によって生成される。カートリッジ間の内容物は、好ましくは液体内の薬物の濃度のみ、すなわち薬物の特定の製剤のみが異なっていてもよい。たとえば、３ｍＬカートリッジは、たとえばインスリン３００ＩＵ（ＩＵ：国際単位）を含んでもよく、１．５ｍＬカートリッジは４５０ＩＵを含んでもよく、これは容積の小さいことを考慮すると、３ｍＬカートリッジ内の薬物の濃度の３倍に相当する。
【０１０２】
同じ駆動機構を複数のカートリッジとともに使用できる再使用可能な薬物送達デバイスでは、特定の薬物または薬物製剤を含むカートリッジだけを駆動機構に、たとえば駆動機構またはその要素が中に保持されているハウジングに、動作可能に連結できるようにすることが、極めて有利である。これは、場合により、いわゆるコーディングまたは専用のシステムもしくは機構によって実現される。これらのシステムまたは機構は、用量設定機構および／または駆動機構を有するハウジングと、ハウジングに解放可能に連結されるカートリッジユニットであって、２つのカートリッジユニットが異なる薬物、薬物製剤、および／または寸法を有するカートリッジユニットとをそれぞれが備える２つの薬物送達デバイスのセットにおいて、それぞれのカートリッジユニットを一方のデバイスのハウジングだけに連結でき、他方のデバイスのハウジングには連結不可能にするように調節される機能を含んでもよい。
【０１０３】
以下の文では、特定の薬物、薬物製剤、および／またはカートリッジの寸法もしくは容積を有するカートリッジユニットまたはアセンブリを、ハウジング、またはその中に保持された用量設定機構および／または駆動機構に対して一意にコーディングするのに好適なシステムの実施形態を記載する。これにより、誤った機構を、特定のカートリッジユニット、たとえば上記で検討したアセンブリのうちの１つとともに使用してしまうことが回避される。開示される実施形態は、カートリッジユニットとハウジングとの間でバヨネット、またはバヨネット型の連結を利用している薬物送達デバイスのために使用されるのに特に好適であり、このバヨネット、またはバヨネット型の連結は、カートリッジユニットをハウジングに取り付けるときに、最初の少なくとも軸方向の動き（第１のステージ）と、その後の少なくとも角度運動または回転運動（第２のステージ）とを含む。さらに、開示される概念は、第１のステージの後で、かつハウジングに対するカートリッジユニットの最終位置への到達が完了する前に、ハウジングから離れるカートリッジユニットの軸方向の動きを実現するように設計される。
【０１０４】
一実施形態を、図３とともに以下で検討する。図３は、薬物送達デバイス用のハウジングまたはハウジング部材３５０にカートリッジユニット３００を連結中の、異なる状況（Ａ〜Ｃ）を概略的に示す。状況Ａは、連結または取付けが開始された直後、すなわち動きの第１のステージ中であり、状況Ｂは、動きの第１のステージが完了した後で、動きの第２のステージが開始される前であり、状況Ｃは、動きの第２のステージが完了した後、ハウジングに対するカートリッジユニット３００の最終位置への到達が完了したときである。図の下側部分は、状況Ａ〜Ｃの側面図を示し、上側部分は、関連する状況の断面図を示す。
【０１０５】
カートリッジユニット３００は、カートリッジホルダ３０２、たとえば前に述べたホルダのうちの１つによって表される。図示してはいないが、当然ながら、カートリッジホルダ内にカートリッジが存在してもよい。図３には、カートリッジホルダの連結領域またはインターフェース領域３２０を示す。この領域には、カートリッジホルダ３０２またはカートリッジユニットもしくはアセンブリ３００をハウジングに連結して薬物送達デバイスを形成するときに、ハウジング内の機能と相互作用するように調節された１つまたはそれ以上の機能が配置される。特に、連結またはインターフェースの領域３２０には、１つの案内機能３２７または複数の案内機能３２７が配置される。異なる案内機能３２７が軸方向に位置合わせされ、角度方向に互いに離れていてもよい。案内機能は、図示しているように異なる角度方向または方位角方向の幅を有してもよく、または同じ角度方向または方位角方向の幅を有してもよい。案内機能３２７は、ハウジングへのカートリッジホルダ３０２のアセンブリ中または取付け中に、ハウジングに対するカートリッジホルダ３０２の動きを案内するために設けられる。カートリッジホルダ３０２は、特に連結またはインターフェースの領域３２０において、固定または戻り止めの機能３２８を含んでもよい。複数の固定機能３２８（そのうちの１つのみが示してある）が設けられてもよく、これらの固定機能３２８は、好ましくは角度方向に均等に、たとえば互いに直径方向反対側に配設される。それぞれの案内機能３２７は、カートリッジホルダ３０２から突出しているラグとして実現される。固定機能３２８は、らせん状の形または範囲を有してもよい。固定機能３２８は、ハウジングからカートリッジホルダ３０２を分離するのに必要な方向へのハウジングに対する回転に対抗して、カートリッジホルダを最終位置に解放可能に固定するように設計される。これにより、ハウジングからのカートリッジホルダの偶発的な分離が回避される。
【０１０６】
ハウジング部材３５０は、後で説明するように薬物送達デバイスの（外側）ハウジング１０と一体形成されてもよく、またはハウジング内またはハウジングに取り付けられる付加的構成要素として形成されてもよい。ハウジング部材３５０は、少なくとも１つの、好ましくは複数のハウジング案内機能３５１を含む。ハウジング案内機能３５１は、トラックまたはチャネルであってもよい。ハウジング案内機能３５１は、２つの異なるセクションである第１のセクション３５１ａと第２のセクション３１５ｂとを含む。第１のセクション３５１ａは、軸方向のみまたはらせん状になど、少なくとも主に軸方向に延びている。図示してある実施形態では、第１のセクション３５１ａはらせん状に延びている。第１のセクション３５１ａがそれに沿って延びているらせんのらせん角度は、固定機能３２８のらせん範囲によって画成される角度と同じであってもよい。セクション３１５ａの両端間の軸方向距離は、第１のセクションの角度方向範囲より大きくてもよい。たとえば、両端を隔てる距離を測定するための参照点として、それぞれの端部の中点を取ることができる。
【０１０７】
ハウジング部材３５０は、遠位端３５２を有する。カートリッジホルダ３０２がハウジング部材３５０にアセンブリされる前に、遠位端３５２はカートリッジユニット３００に面してもよい。駆動機構および／またはカートリッジアセンブリの構成要素をスリーブ部材の開口部内に受けることができるように、またはそれらが開口部を通って移動できるようにするために、ハウジング部材３５０は、中空であってもよく、たとえばスリーブ状に形成されてもよい。セクション３５１ａは、ハウジング案内機能３５１の第２のセクション３５１ｂよりもデバイスまたはハウジングの遠位端に近くなるように配置されることが好都合である。案内機能３５１の第２のセクション３５１ｂは、角度方向にのみまたはらせん状になど、少なくとも主に角度方向に延びていてもよい。特に、第２のセクションの両端間の軸方向距離は、第２のセクションの角度方向範囲より小さくてもよい。カートリッジホルダが第１のセクション内で動かされる軸方向距離は、カートリッジホルダが第２のセクション内で動かされる軸方向距離より大きくてもよい。代替的にまたは追加的に、カートリッジホルダが第１のセクション内で動かされる角度方向距離は、カートリッジホルダが第２のセクション内で動かされる角度方向距離より小さくてもよい。カートリッジホルダが第２のセクション内でまたは第２のステージ中に動かされる軸方向距離は、１ｍｍ未満またはそれに等しくてもよく、たとえば０．５ｍｍ未満またはそれに等しくてもよい。案内インターフェースは、バヨネット型のインターフェースであってもよい。第１のステージと第２のステージの回転方向は等しくてもよい。
【０１０８】
図示してある実施形態では、第１のセクション３５１ａはらせん状に延びているか、らせん状のインターフェースを画成するように構成される。第２のセクション３５１ｂは、角度方向にのみもしくはらせん状に延びていてもよく、かつ／または軸方向の動き、好ましくは限られた軸方向の動きを許容するように構成されてもよい。したがって、第２のセクションには多少の軸方向の遊びが存在してもよい。このことは、好ましくは、第２のセクションが角度方向にのみ延びている場合に成り立つ（図３Ｃのセクション３５１ｂを参照）。この遊びにより、第２のステージ中にカートリッジホルダ３０２がハウジング３５０から離れるように動くことができるようになり、これについては以下で説明する。第２のセクションがらせん状に延びている場合には（図３Ａにおいて３１５ｂで符号付けされた一番左側のセクションを参照）、軸方向の遊びはなくてもよい。特に、図に示してあるように、異なるハウジング案内機能３５１は、異なる構成の第２のセクション３５１ｂを有してもよく、たとえば１つのハウジング案内機能の第２のセクションは、らせん状に延びていてもよく、別のハウジング案内機能の第２のセクションは、角度方向だけに延びていてもよい。異なるハウジング案内機能の第１のセクションも同様に形成することができる。ハウジング案内機能３５１の第１のセクション３５１ａは、第１のステージ中の動きを、たとえば軸方向にかつ／または角度方向に案内してもよく、案内機能の第２のセクション３５１ｂは、ハウジングに対するカートリッジホルダの、好ましくは角度運動または回転運動のみを案内してもよい。しかし、動きの第２のステージ中、ハウジングから離れるカートリッジユニットの動きの軸方向成分がなお存在してもよい。この目的のために、さらなるインターフェースが確立され、これについては以下でより詳細に説明する。したがって、カートリッジユニット案内機能３２７が、ハウジング案内機能３５１の第２のセクション３５１ｂと相互作用するときに、軸方向の動きと角度運動または回転運動とが含まれるので、この動きはなお、このセクションではらせん状であってもよい。第２のステージ中の動きまたは第２のセクションに関連したらせんのらせん角度は、第１のセクションまたは第１のステージに関連したらせんのらせん角度より小さくてもよい。代替的にまたは追加的に、それぞれのセクション３５１ａと３５１ｂのらせん状範囲または２つのステージ中のらせん状の動きを画成するらせんは、反対方向に配向されてもよく、たとえばそれらは反対向きであってもよい。こうして、案内機能３２７が第２のセクションにある間に、カートリッジホルダはハウジングに対して遠位方向に、すなわち、第１のセクションにおいて動きが案内されるときにカートリッジホルダが移動する軸方向とは反対に移動することができる。したがって、案内機能３２７が、案内機能３５１の第１および第２のセクションと相互作用するまたはそれらのセクション内で移動するとき、動きの異なるステージが生じる。ハウジングに向かうカートリッジホルダの最初の近位方向の動きと、それに続きハウジングから離れる遠位方向の動きとを有する機構が、ＷＯ２０１２／１３０７０４Ａ１に開示されており、この開示内容全体を参照によって本明細書に組み入れる。しかし、提案された概念は、他の、好ましくは再使用可能な薬物送達デバイス、たとえばペン型注射器などの注射デバイスにも適用可能である。
【０１０９】
すでに上で述べたように、動きの第２のステージ中にハウジングから離れる軸方向の動きは、さらなるインターフェース、すなわち協働する案内機能３２７および３５１によって確立される案内インターフェースとは異なるインターフェースによって引き起こされる。このインターフェースは、傾斜インターフェースであってもよい。この目的のために、カートリッジホルダは、たとえばその近位端に、少なくとも１つの傾斜表面３２９または複数の傾斜表面を含む。ハウジングは、少なくとも１つまたは複数の対応する傾斜表面３５３を含む。傾斜表面３５３と３２９は、動きの第１のステージ中には相互作用せず（状況Ａ）、第１のステージの終わりに、すなわちカートリッジホルダが第１のステージの軸方向距離だけハウジングに向かって動かされた後に、互いに協働するようになり（状況Ｂ）、第２のステージ中に互いに相互作用する（状況Ｃ）。傾斜表面３５３および３２９の傾きは等しくてもよい。
【０１１０】
しかし、１つの傾斜表面があれば十分であり、傾斜表面に沿ってスライドする機能は、異なる形状、すなわち必ずしも傾斜状ではない形状を有してもよいことが、容易に理解されるべきである。傾斜表面の傾きは、好ましくは一定である。第２のステージ中の回転運動の間、ハウジングから離れる距離ｄ分の軸方向の動きが傾斜表面によって引き起こされるように、傾斜表面の傾きが選択される。状況Ｂで見ることができるように、案内機能３２７と、案内機能のセクション３５１ｂを遠位方向に画定している壁との間の軸方向クリアランスは、距離ｄに等しくてもよい。状況Ｃの取付けプロセスの終わりに、案内機能３２７の遠位向き表面とハウジングの近位向き表面とが当接してもよい。状況Ｃでは、案内機能３２７の近位向き表面とハウジングの遠位向き表面との間の距離は、ｄより大きくてもよく、またはそれに等しくてもよい。状況Ｃでは、カートリッジホルダがハウジングに取り付けられたときに、固定機能３２８が、ハウジングの相補的な固定機能（図示せず）に係合している。第２のステージ中の回転角度は、４５°未満など、１０°より大きくかつ／または９０°より小さくてもよく、たとえば約２０°であってもよい。
【０１１１】
傾斜表面３５３および／または３２９の角度方向範囲は、第２のステージ中の回転角度より大きくてもよい。これにより、適合しないコーティング構造を有するカートリッジホルダがハウジングに取り付けられようとした場合に、傾斜表面、たとえば傾斜表面３５３のセクションを使用してカートリッジホルダのたとえばコーディング機能に当接することができるようになる。これについては以下で説明する。
【０１１２】
カートリッジホルダ３０２は、１つまたは複数のコーディング機能３３０を含む。コーディング機能は、軸方向に配向される。コーディング機能は、共通の傾斜構造において傾斜表面に一体化されてもよい。コーティング機能は、コーディング機能を角度方向に画定する表面３３２を含み、その角度方向は、たとえば第１のステージ中および／または第２のステージ中の回転方向とは反対である。第１のステージ中および第２のステージ中のハウジング部材３５０に対するカートリッジホルダ３０２の回転は、図３の遠位端から近位端の方を見るとき時計回りである。表面３３２は、軸方向に延びており、かつ／または軸方向に見ると、傾斜表面３２９に重なってもよい。表面３３２の軸方向範囲は、ｄより大きくてもよく、第１のステージ中および／または第２のステージ中の軸方向距離より大きくてもよく、かつ／または傾斜表面３２９および／または３５３の軸方向範囲より大きくてもよい。表面３３２の角度方向範囲は、あるとすれば、傾斜表面３２９または３５３のうちの１つより小さいことが好都合である。第１のステージ中および／または第２のステージ中に進む軸方向距離よりも大きい軸方向範囲を選択することにより、カートリッジホルダが適合しないハウジングに取り付けられようとしている場合に、角度方向、たとえば第１のステージ中および／または第２のステージ中の回転方向に隣接するコーディング機能３３０の近位向き表面３３３を使用して、ハウジングのコーディング機能によって提供された傾斜表面３５３またはハウジングの別の遠位向き表面に当接することができる。この当接により、ハウジングに向かうカートリッジホルダのさらなる軸方向の動きが防止され、したがって第２のステージを実行することができず、カートリッジホルダをハウジングに取り付けることができない。したがって、コーディングは、動きの第１のステージ中に、すなわち可能な限り早期に作用して、ユーザが誤ったカートリッジユニットをハウジングに取り付けようとしている場合にユーザに警告する。表面３３２の長さが、第２のステージ中の軸方向距離または寸法「ｄ」より十分に長く、たとえば軸方向距離の少なくとも２倍であるとき、カートリッジホルダとハウジングが適合しない場合に、コーディング機能３３０によって第１のステージ中の早期にカートリッジホルダの取付けを阻止できることが保証できるようになる。代替的にまたは追加的に、表面３３２の長さが、第１のステージ中の軸方向距離より大きいなら有益でありうる。
【０１１３】
ハウジングまたはカートリッジホルダにおいて傾斜構造を使用することにより、様々な異なる形状および／または異なる配置のコーディング機能を有するコーディング構造を実現するための堅牢で容易な方法が可能になり、これらのコーディング機能は、傾斜表面または傾斜機能とともに一意のコーディング構造を形成して共通の傾斜構造にする。言い換えれば、コーディング機能と傾斜表面は、軸方向に位置合わせされ、角度方向に離れていてもよい。こうした構造は、高価な成形ツールに多大な変更を加えることなく、既存のホルダに容易に組み込むことができる。
【０１１４】
本開示で使用される傾斜構造は、１８０°の回転に対して回転対称とすることができる。こうして、カートリッジホルダを、２つの異なる回転配向においてハウジングに連結することができる。同様に、案内機能も、特に１８０°の回転に対して回転対称に配置されてもよい。
【０１１５】
本開示で使用される傾斜構造の傾斜表面同士は、これらの間に配置されたコーディング機能によって隔てられていてもよい。コーディング機能とそれに続く傾斜表面との間の移行部は、径方向に配向された急角度の表面またはスロープ表面によって形成される。２つの傾斜表面間の移行部領域の（角度方向の）傾きは、傾斜表面の傾きより大きくてもよい。
【０１１６】
図４は、適合する傾斜構造またはコーディング構造を有するカートリッジユニットとハウジングの実施形態を示し、これらの実施形態は、前の実施形態とは異なる傾斜構造またはコーディング構造を利用する。この場合も、カートリッジユニット３００およびハウジングは、異なる状況Ａ〜Ｃに示されているが、案内機能は同じであってもよいので、断面図のみで示される。以下では、前に記載した実施形態との違いのみを検討する。
【０１１７】
主な違いは、カートリッジホルダ３０２が、動きの第２のステージ中にハウジングの傾斜表面と相互作用する傾斜表面または少なくとも１つの有意な傾斜範囲を含まないことである。むしろ、ハウジングの傾斜表面３５３と相互作用するために、カートリッジホルダは、傾斜相互作用機能３３４を含む。この機能３３４の近位方向に面する表面３３５は、好都合には第２のステージの前に、たとえば第１のステージの最後に傾斜表面３５３に接触する（状況Ｂ）。この機能３３４は、第２のステージ中に傾斜表面３５３に沿ってスライドすることができる（状況Ｃ）。取付け手順の最後に、角度方向、好都合には第２のステージ中の回転方向に機能３３４を画定している表面が、角度方向に傾斜表面３５３を画定している機能に角度方向に当接してもよい。これにより、案内機能３２７、３５１によって形成された案内インターフェースによって提供される端部止め具に加えて、またはその代わりに、堅牢な回転端止め具が提供される。傾斜表面３５３の角度方向範囲は、表面３３５の角度方向範囲と、第２のステージ中に傾斜表面に沿った回転角度によって画成される角度方向範囲との合計より大きくてもよく、または図示してあるように、それに等しくてもよい。相互作用機能をハウジングに位置付け、傾斜表面をカートリッジホルダに位置付けることも可能であることが理解されるべきである。図４と図３の実施形態における傾斜表面の傾きは等しく、それによりこれらの傾きは、第２のステージの軸方向の動きを距離ｄだけ引き起こすことができる。すぐにわかるように、ハウジングの傾斜構造は、カートリッジホルダに合わせて調節されて、カートリッジユニットとハウジングとの適合ペアが提供される。それでもなおカートリッジホルダ３０２は、第２のステージ中にハウジングの機能に当接することがある傾斜表面３２９を含んでもよい。傾斜表面３２９および３５３は、図示しているものと同じ傾きを有してもよい。該当する場合には、傾斜表面３２９があれば十分であり、傾斜表面３５３を省くことができる。
【０１１８】
したがって、同じ案内インターフェースであるが異なるコーディング構造および／または傾斜構造を有する場合、適合しないカートリッジホルダがハウジングに取り付けられるのを防止することができ、傾斜構造の傾斜表面は、第２のステージ中に軸方向の動きを有効にするか、生成することができる。
【０１１９】
図５は、図４のカートリッジホルダを図３のハウジングに取り付けできないことを示す。まだ動きの第１のステージである間に、コーディング機能３３０の表面３３３は、第１のステージ中の回転の角度方向に見えるような傾斜表面３５３に、たとえばその端部セクションに当接する。したがって、さらなる軸方向および／または回転運動が防止され、カートリッジホルダをハウジングに取り付けることができない。したがって、等しい傾きで異なる設計および配置のコーディング機能の傾斜表面を含む異なる傾斜構造があることにより、ハウジングに対するカートリッジホルダの取付けが、好ましくはまだ動きの第１のステージ中に防止される。バヨネット型連結の動きのための同じ案内機能３２７および３５１が図３および図４の実施形態に存在しても、これは適用できる。
【０１２０】
図６は、多様な７個の異なるカートリッジホルダを示し、これらはすべて、傾斜または傾斜構造の形状を有する。これらはすべて、図３のハウジングまたはハウジング部材３５０とともに示されており、すなわちハウジングの傾斜構造は常に同じである。ホルダのうちの（図３に示すのと同じ実施形態で、カートリッジホルダとハウジングの表示の下にかぎ形印（レ点）により示す）１つだけが、ハウジングに対応するようにコーティングされており、このハウジングには１つのカートリッジホルダしか取り付けられないことを意味していることがわかる。他の表示、すなわち「×」で示されたものは、たとえばらせん状の動きの第１のステージが完了する前に、カートリッジホルダのコーディング機能が、たとえば傾斜表面３５３を有するハウジングのコーディング機能と接触する。非対応の６個のカートリッジホルダのそれぞれについて、対応するハウジング構成要素を作製することができ、ひいてはこの構成要素は、他のカートリッジホルダのいずれにも対応しない。こうして、たとえば最大７個または最大１０個のコーディングされた複数のカートリッジホルダのセットを提供することができ、それぞれのカートリッジホルダは、特定のハウジングまたは駆動機構にしか対応していない。示してあるシステムは、すべて同じ傾斜の傾斜表面を有する。
【０１２１】
図７は、カートリッジユニット３００（符号Ａ）とハウジングまたはハウジング部材（符号Ｂ）の別の実施形態を示す。ハウジングまたはハウジング部材３５０は断面図で示してあり、カートリッジユニットは上面図で示してある。前の実施形態と反対に、コーディング機能および／または第２のステージの軸方向距離分の動きを提供する傾斜構造は、カートリッジホルダの近位端またはリムに配置されていない。むしろ傾斜構造は、段３２１の近位に面する表面上にまたはその表面内に設けられている。段は、カートリッジホルダ３０２の本体領域３１８とインターフェース領域３２０との間に配置され、このインターフェース領域３２０に案内機能３２７と固定機能３２８が配置される。したがって、近位にオフセットしており、特にカートリッジホルダの近位リムまたは縁部に一体化されていた前の実施形態とは反対に、傾斜構造は、案内機能３２７および／または固定機能３２８から遠位にオフセットしている。さらに、ハウジング内の対応する傾斜構造が、案内機能３５１から遠位にオフセットして設けられる。残りの機能は同じである。段は既存のデバイスの設けられることがあるので、傾斜構造を段３２１の近位表面に容易に実現することができる。
【０１２２】
図８は、図７のカートリッジホルダ３０２とハウジングまたはハウジング部材３５０との取付け順序を異なる３つの状況（符号Ａ〜Ｃ）で示しており、これらは上で検討した状況に対応する。傾斜構造が互いに適合するので、カートリッジホルダをハウジングに取り付けることができる。ショルダまたは段３２１の傾斜構造または傾斜表面は、前に検討したのと同様に機能する。カートリッジホルダの傾斜の形状を、図３〜図７に関して上で検討したのと同じまたは同様のやり方で調節することにより、コーディングされたカートリッジホルダとハウジングのセットを作製することができる。
【０１２３】
図９は、ハウジングまたはハウジング部材３５０とカートリッジホルダ３０２の３つの対を示しており、ハウジングは常に同じ傾斜構造を有し、カートリッジホルダの傾斜構造が異なっている。左の対は、適合する傾斜構造を有し（かぎ形印またはレ点で示す）、他の対は適合しない傾斜構造を有する（「×」で示す）。右側の２つの対から明らかなように、ハウジングに向かう軸方向の動きは、傾斜構造が適合しないことから、動きの第２のステージが起こりうる前に止められ、すなわちさらなる動きが阻止されたとき、案内機能はまだ第１のセクション３５１ａにある。
【０１２４】
図１０および図１１は、カートリッジホルダとハウジングとの間のバヨネット型連結とともに使用するのに好適な別のコーディング構造を示す。図１０は、カートリッジホルダ３０２をハウジングまたはハウジング部材３５０に連結済みであるときのカートリッジホルダ３０２を示す。この場合も、ハウジングの案内機能３５１は、２つのセクション３５１ａおよび３５１ｂを有し、前に記載した実施形態とは対照的に、第１のセクションは軸方向にのみ延びており、第２のセクションは角度方向にのみ延びている。案内機能は、らせん状に延びるセクションを有していない。したがって、図示された実施形態のように、第１のステージでは軸方向の動きしかなく、第２のステージでは角度方向の動きしかなく、案内機能３２７は、第２のセクション３５１ｂまたは角度方向および軸方向の動き、好ましくはらせん状の動きと同じ軸方向寸法を有しており、これについては以下でさらに述べる。この案内機能３２７により、第２のステージ中に遠位方向へのカートリッジホルダ３０２の軸方向の動きが可能になる。第２のステージの完了後、前に記載したように、カートリッジホルダ３０２が、ハウジングまたはハウジング部材３５０に対する回転に対抗して固定される。
【０１２５】
カートリッジユニット用のコーディング機能は、同時にコーディング機能としても作用する案内機能３２７またはラグによって実現される。好ましくは軸方向に位置合わせされた案内機能３２７の角度方向の幅（広い機能３２７ａと狭い機能３２７ｂ）および／または相対的な角度方向位置を、適合するハウジングを得るために適切に設計されたハウジング内の案内機能３５１とともに変えることにより、コーティングを実現することができる。１種類の案内機能（広いまたは狭い）を、同じ角度方向位置に留めて、狭い案内機能の位置を変えてもよい。図１１は、いずれもカートリッジホルダの開口端から見たときの、多様な５個の異なるカートリッジホルダ３０２について潜在的なラグ機能の位置を示す。すべてのホルダ３０２に、２セットのラグまたは案内機能があることがわかり、これらの案内機能は、正反対に配設された「広い」ラグの第１のセットと、正反対に配設された「狭い」ラグの第２のセットである。また、広いラグは、各変形形態において同じ角度方向位置に位置付けられているが、狭いラグは、各事例において、広いラグに対して異なる角度方向位置まで回転されていることもわかる。ラグのこの配置がコーディングのセットを提供し、このことは、異なる各カートリッジホルダの変形形態は、適合するカートリッジユニットの案内機能またはラグと同じ角度方向位置に位置するチャネルまたは案内機能３５１を有するハウジングとしか係合可能でないことを意味する。
【０１２６】
上で検討した一体型のコーディング機能を有する傾斜構造とは反対に、案内機能の角度方向の幅および／または位置を利用するこのコーディング構造は、第２のステージ中にハウジングから離れるカートリッジホルダの軸方向の動きを提供しない。この問題に対する潜在的な解決策は、移動の第２の領域にらせん状チャネル、すなわちらせん状の第２のセクション３１５ｂを導入することであってもよい。しかし、これらを本体の構成要素に成形するのは困難でありうる。より簡単に製造できる可能性が高い代替的な解決策を図１２に示す。図１２の表示Ａは、カートリッジホルダ３０２をハウジングにアセンブリ済みであるときの側面図を示し、表示Ｂは断面図を示す。確認できるように、第２のセクションは、案内機能の軸方向範囲より軸方向に広く、動きの第２のステージ中にハウジングに対してカートリッジホルダを、たとえば距離ｄだけ遠位に変位させることができる。ハウジングまたはハウジング部材は、１つまたはそれ以上の傾斜表面３５３を有する。これらの表面は、カートリッジホルダ３０２と相互作用し、動きの第２のステージ中にカートリッジホルダ３０２をハウジングから離れるように軸方向に持ち上げる。最終位置では、向かい合うカートリッジホルダ３０２とハウジングまたは傾斜機能の、軸方向に重なる角度方向の表面間に、角度方向のクリアランス３３６が存在してもよい。角度方向のクリアランス３３６は、動きの第２のステージ中の回転の角度より大きくてもよくまたはそれに等しくてもよい。カートリッジホルダ３０２は、図示してあるように傾斜表面３２９を有してもよく、または前に記載したように相互作用機能３３４を有してもよい。
【０１２７】
コーディング機能、特にハウジングのコーディング機能、すなわち案内機能３５１は、傾斜表面３５３から軸方向にオフセットしている。
【０１２８】
たとえば非対応の２つのカートリッジホルダのセットを作製するためのさらなる概念を、図１３に示す。この実施形態では、カートリッジホルダのうちの一方（表示Ａ、図１３の左手側に示す）は、その外側円筒表面に通常のやり方で形成されたバヨネットラグ機能を有する。他方のホルダ（表示Ｂ、右手側の図に示す）は、その外側円筒表面に形成されたバヨネットチャネルを有し、この変形形態のためのラグが、関連するハウジングの内壁に形成される。
【０１２９】
この概念、すなわちチャネルもしくはトラックをラグに、またはその逆に案内機能のタイプを入れ替える概念は、他の実施形態のいずれにも適用できることに留意すべきである。なぜなら、ハウジングの案内機能とカートリッジホルダの案内機能によって形成されるインターフェースの全体的な機能は、ラグをチャネルにおよびその逆に切替えても変わらないからである。これをコーディング目的に使用することができるが、必須ではない。したがって、案内機能３２７としてのラグが、カートリッジホルダ３０２において開示されるとき、それらは代替的にハウジングまたはハウジング部材３５０にあってもよく、案内機能３５１としてのチャネルまたはトラックが、ハウジングまたはハウジング部材３５０に示されるとき、それらは代替的に、カートリッジホルダにあってもよい。
【０１３０】
図１４および図１５は、開示したカートリッジアセンブリまたはシステムおよび機構とともに使用するのに好適な薬物送達デバイスの実施形態を概略的に示す。図１４は、キャップ１２０が取り付けられ、カートリッジアセンブリ３００またはユニットを覆っている状態のデバイス１を示す。図１５では、キャップが取り外されている。カートリッジアセンブリ３００は、図６に示すように、薬物送達デバイス１の本体またはハウジング１０に解放可能に連結されることが好都合である。ハウジングは、デバイスの外側輪郭を画成し、スリーブ状に形成されることが好都合である。ハウジング部材３５０は、ハウジング１０の内部に保持される。薬物または薬剤をデバイス１から投薬するために、針ユニットが針コネクタ３１９に連結される。用量設定部材７０が、ハウジング１０に移動可能に保持され、用量を設定するためにユーザによって操作されることが可能である。たとえば、用量設定部材７０をハウジングに対して回転させて用量を設定することができる。デバイスは可変用量デバイスであってもよく、用量のサイズは、ハウジングに保持された駆動機能の設計によって事前決定されておらず、ユーザによって変更することができる。図１５では、薬物送達デバイスの用量設定条件が示してあり、窓２３０に図示した数字が図１４から変更されており、それにより現在設定されている用量のサイズを示す。用量設定中に、用量設定部材７０がハウジング１０に対して近位方向に変位されるように、デバイスを設計することができる。代替的に、用量設定部材は、設定容量とは無関係に同じ軸方向位置に留まってもよい。薬物送達デバイス１の近位端セクションに設けられた用量設定部材７０または用量投薬部材を、遠位方向に動かす、またはそれに遠位方向の力を加えることにより、図１５に示す位置から投薬動作を開始することができる。用量を投薬するために、たとえばデバイスのピストンロッド（明示的に図示せず）によって、栓がカートリッジ本体３４０に対して遠位方向に変位されることが好都合である。
【０１３１】
上で検討したコーディングシステムを使用することにより、ハウジング１０内の駆動機構の設計に対応した、特定の薬物もしくは薬剤、薬物製剤もしくは薬剤製剤、および／または容積を含むタイプのカートリッジユニット３００だけを、ハウジング１０に連結することができる。
【０１３２】
保護範囲は、本明細書で上に提供した例に限定されない。本明細書に開示した任意の発明は、新規の各特徴および特徴の各組合せにおいて具体化され、これらの特徴は、特に特許請求の範囲に記載の任意の機能のあらゆる組合せを、たとえこの機能またはこの機能の組合せが特許請求の範囲または例に明示的に記載されていなくても含む。
【符号の説明】
【０１３３】
３００  カートリッジアセンブリ
３０１  カートリッジ
３０２  カートリッジホルダ
３０３  カートリッジ保持セクション
３０４  内壁
３０５  開口部
３０６  投薬端
３０７  薬物
３０８  セプタム
３０９  セプタムリテーナ
３１０  ヘッド部分
３１１  本体部分
３１２  ネック部分
３１３  カートリッジ表面
３１４  ショルダ表面
３１５  遠位端壁
３１６  開口部
３１７  遠位領域
３１８  本体領域
３１９  針コネクタ
３２０  連結領域
３２１  段
３２２  固定機能
３２３  射出ゲートマーク
３２４  固定表面
３２５  開口部
３２６  表面
３２７  案内機能
３２８  固定機能
３２９  傾斜表面
３３０  コーディング機能
３３１  ショルダ領域
３３２  表面
３３３  表面
３３４  傾斜相互作用機能
３３５  表面
３３６  角度方向クリアランス
３４０  カートリッジ本体
３４１  補強セクション
３４２  カートリッジ支持機能
３５０  ハウジング部材
３５１  案内機能
３５１ａ、ｂ  セクション
３５２  遠位端
３５３  傾斜表面
１  薬物送達デバイス
１２０  キャップ
７０  用量設定部材
１０  ハウジング
２３０  窓
Ａ  厚さ
Ｂ  距離
【図１Ａ】
2021531101.tif 000003
【図１Ｂ】
2021531101.tif 000004
【図１Ｃ】
2021531101.tif 000005
【図１Ｄ】
2021531101.tif 000006
【図１Ｅ】
2021531101.tif 000007
【図１Ｆ】
2021531101.tif 000008
【図２Ａ】
2021531101.tif 000009
【図２Ｂ】
2021531101.tif 000010
【図３Ａ】
2021531101.tif 000011
【図３Ｂ】
2021531101.tif 000012
【図３Ｃ】
2021531101.tif 000013
【図４Ａ】
2021531101.tif 000014
【図４Ｂ】
2021531101.tif 000015
【図４Ｃ】
2021531101.tif 000016
【図５】
2021531101.tif 000017
【図６】
2021531101.tif 000018
【図７Ａ】
2021531101.tif 000019
【図７Ｂ】
2021531101.tif 000020
【図８Ａ】
2021531101.tif 000021
【図８Ｂ】
2021531101.tif 000022
【図８Ｃ】
2021531101.tif 000023
【図９】
2021531101.tif 000024
【図１０】
2021531101.tif 000025
【図１１】
2021531101.tif 000026
【図１２Ａ】
2021531101.tif 000027
【図１２Ｂ】
2021531101.tif 000028
【図１３Ａ】
2021531101.tif 000029
【図１３Ｂ】
2021531101.tif 000030
【図１４】
2021531101.tif 000031
【図１５】
2021531101.tif 000032
【国際調査報告】
2021531101.tif 000033
2021531101.tif 000034